(57)【要約】【課題】複数の電線を備える電線束においてある電線が予め定められた通りに導通しているか否かを判断する。【解決手段】電線検査装置は電線測定部と検査結果出力部３６とを備える。電線測定部は、ワイヤハーネスの複数の電線それぞれの一端と他端とに接続される。検査結果出力部３６は、電線測定部が測定した電圧に基づいて複数の電線それぞれにおける通電機能の検査結果を出力する。検査結果出力部３６が、対応情報生成部１００と、予定情報記憶部１０２と、異常判断部１０４と、異常有無情報出力部１０６とを有している。対応情報生成部１００は、対応情報を生成する。予定情報記憶部１０２は、予定情報を予め記憶する。異常判断部１０４は、対応情報により特定される電線と予定情報により特定される電線との相違の有無に応じて、異常の有無を判断する。異常有無情報出力部１０６は、異常有無情報を出力する。【選択図】図３
2020109373.tif 000002
【特許請求の範囲】
【請求項１】
検査の対象である電線束の少なくとも一部を構成する複数の電線それぞれの一端と他端とに接続され、前記複数の電線のいずれかに電力を供給し、前記電力の供給の際の前記複数の電線のうち少なくとも２本における電圧および電流の少なくとも一方を測定する電線測定部と、
前記電線測定部が測定した前記電圧および前記電流の少なくとも一方に基づいて前記複数の電線それぞれにおける通電機能の検査結果を出力する検査結果出力部とを備える電線検査装置であって、
前記検査結果出力部が、
前記電線測定部が前記電力を供給した前記電線と前記電線への前記電力の供給に応じて前記電圧および前記電流の少なくとも一方の変動が生じた前記電線との対応関係を示す対応情報を生成する対応情報生成部と、
前記複数の電線それぞれについて前記電線への前記電力の供給に応じて前記電圧および前記電流の少なくとも一方の変動が生じるべき前記電線を示す予定情報を予め記憶する予定情報記憶部と、
前記対応情報により特定される前記電線と前記予定情報により特定される前記電線との相違の有無に応じて、異常の有無を判断する異常判断部と、
前記異常の有無を示す異常有無情報を出力する異常有無情報出力部とを有していることを特徴とする電線検査装置。
【請求項２】
前記異常判断部が、
前記複数の電線それぞれについて、前記対応情報により特定される前記電線と前記予定情報により特定される前記電線とが一致するか否かを判断する一致判断部と、
前記電線測定部が前記電力を供給した前記電線のすべてについて前記対応情報により特定される前記電線と前記予定情報により特定される前記電線とが一致する場合、前記異常がないことを示す前記異常有無情報を生成する無異常情報生成部と、
前記電線測定部が前記電力を供給した前記電線のいずれかについて前記対応情報により特定される前記電線と前記予定情報により特定される前記電線とが相違する場合、前記対応情報により特定される前記電線と前記予定情報により特定される前記電線との相違内容に応じて前記異常の種類を示す前記異常有無情報を生成する異常種類情報生成部とを有しており、
前記異常有無情報出力部が、前記異常判断部が生成した前記異常有無情報を出力することを特徴とする請求項１に記載の電線検査装置。
【請求項３】
前記異常種類情報生成部が、
前記電線測定部が前記電力を供給した前記電線のいずれかについて前記対応情報により特定される前記電線のうち前記予定情報により特定される前記電線に一致しない前記電線が存在し前記予定情報により特定される前記電線のうち前記対応情報により特定される前記電線に一致しない前記電線が存在しないと、短絡が生じていることを示す前記異常有無情報を生成する短絡情報生成部と、
前記電線測定部が前記電力を供給した前記電線のいずれかについて前記予定情報により特定される前記電線のうち前記対応情報により特定される前記電線に一致しない前記電線が存在し前記対応情報により特定される前記電線のうち前記予定情報により特定される前記電線に一致しない前記電線が存在しないと、断線が生じていることを示す前記異常有無情報を生成する断線情報生成部と、
前記電線測定部が前記電力を供給した前記電線のいずれかについて前記対応情報により特定される前記電線のうち前記予定情報により特定される前記電線に一致しない前記電線および前記予定情報により特定される前記電線のうち前記対応情報により特定される前記電線に一致しない前記電線が共に存在すると、誤接続が生じていることを示す前記異常有無情報を生成する誤接続情報生成部とを有していることを特徴とする請求項２に記載の電線検査装置。
【請求項４】
前記異常種類情報生成部が、
前記電線測定部が前記電力を供給した前記電線のいずれかについて前記対応情報により特定される前記電線のうち前記予定情報により特定される前記電線に一致しない前記電線が存在し前記予定情報により特定される前記電線のうち前記対応情報により特定される前記電線に一致しない前記電線が存在しないと、前記対応情報により特定される前記電線のうち前記予定情報により特定される前記電線に一致しない前記電線を示す短絡電線情報を生成する短絡電線情報生成部と、
前記電線測定部が前記電力を供給した前記電線のいずれかについて前記予定情報により特定される前記電線のうち前記対応情報により特定される前記電線に一致しない前記電線が存在し前記対応情報により特定される前記電線のうち前記予定情報により特定される前記電線に一致しない前記電線が存在しないと、前記予定情報により特定される前記電線のうち前記対応情報により特定される前記電線に一致しない前記電線を示す断線電線情報を生成する断線電線情報生成部と、
前記電線測定部が前記電力を供給した前記電線のいずれかについて前記対応情報により特定される前記電線のうち前記予定情報により特定される前記電線に一致しない前記電線および前記予定情報により特定される前記電線のうち前記対応情報により特定される前記電線に一致しない前記電線が共に存在すると、前記予定情報により特定される前記電線のうち前記対応情報により特定される前記電線に一致しない前記電線と前記対応情報により特定される前記電線のうち前記予定情報により特定される前記電線に一致しない前記電線とを示す誤接続電線情報を生成する誤接続電線情報生成部とを有していることを特徴とする請求項２に記載の電線検査装置。
【請求項５】
検査の対象である電線束の少なくとも一部を構成する複数の電線のいずれかに電力を供給する電力供給工程と、
前記電力の供給の際の前記複数の電線のうち少なくとも２本における電圧および電流の少なくとも一方を測定する電線測定工程と、
前記電線測定工程において測定された前記電圧および前記電流の少なくとも一方に基づいて前記複数の電線それぞれにおける通電機能を判断する機能判断工程とを備える電線検査方法であって、
前記機能判断工程が、
前記電線測定工程において前記電力が供給された前記電線と前記電線への前記電力の供給に応じて前記電圧および前記電流の少なくとも一方の変動が生じた前記電線との対応関係を示す対応情報を生成する対応情報生成工程と、
前記対応情報により特定される前記電線と前記電線への前記電力の供給に応じて前記電圧および前記電流の少なくとも一方の変動が生じるべき前記電線との相違の有無に応じて、異常の有無を判断する異常判断工程とを有していることを特徴とする電線検査方法。
【発明の詳細な説明】
【技術分野】
【０００１】
本発明は、電線検査装置および電線検査方法に関する。
【背景技術】
【０００２】
特許文献１は電線検査装置を開示する。この電線検査装置は、電力供給端子の対と、電源部と、電力制御部と、測定部と、出力部とを備える。電力供給端子の対は、検査の対象である電線に対する検査の開始前にその電線に接続される。電力供給端子の対は、検査の対象である電線から検査の終了後に取り外される。電源部は、電力供給端子の対を介して電線に電力を供給する。電力制御部は、電力供給端子の対から電線に供給される電力の大きさを制御する。測定部は、電力供給端子の対に接続される。測定部は、電線にかかった電圧および電線に流れた電流の少なくとも一方を測定する。出力部は、測定部が測定した電圧および電流の少なくとも一方に応じて電線に対するノイズの侵入の有無の検査結果を出力する。電力制御部が、電線にかかる電圧および電線に流れる電流の少なくとも一方を所定の期間内に所定回変動させる。出力部が、変動回数を計数する。変動回数は、電線にかかった電圧および電線に流れた電流のうち電力制御部が変動させたものが所定の期間内に変動した回数である。出力部が、変動回数が所定の回数と異なったか否かに応じてノイズの侵入の有無の検査結果を出力する。
【０００３】
特許文献１に開示されている電線検査装置によれば、電線が外部からのノイズの侵入に耐え得るか否かを検出できる。
【先行技術文献】
【特許文献】
【０００４】
【特許文献１】特許第６２４０８０２号公報
【発明の概要】
【発明が解決しようとする課題】
【０００５】
しかしながら、特許文献１に開示された電線検査装置には、複数の電線を備える電線束においてある電線が予め定められた通りに導通していない場合、そもそもノイズの侵入に耐え得るか否かを判断できないという問題点がある。
【０００６】
本発明は、このような問題を解消するものである。その目的は、複数の電線を備える電線束においてある電線が予め定められた通りに導通しているか否かを判断できる電線検査装置および電線検査方法を提供することにある。
【課題を解決するための手段】
【０００７】
図面を参照して本発明の電線検査装置および電線検査方法を説明する。なお、この欄で図中の符号を使用したのは、発明の内容の理解を助けるためであって、内容を図示した範囲に限定する意図ではない。
【０００８】
上記課題を解決するために、本発明のある局面に従うと、電線検査装置２０は、電線測定部３０と、検査結果出力部３６とを備える。電線測定部３０は、検査の対象である電線束２００，２０２，２０４，２０６の少なくとも一部を構成する複数の電線２２０それぞれの一端と他端とに接続される。電線測定部３０は、複数の電線２２０のいずれかに電力を供給する。電線測定部３０は、電力の供給の際の複数の電線２２０のうち少なくとも２本における電圧および電流の少なくとも一方を測定する。検査結果出力部３６は、電線測定部３０が測定した電圧および電流の少なくとも一方に基づいて複数の電線２２０それぞれにおける通電機能の検査結果を出力する。検査結果出力部３６が、対応情報生成部１００と、予定情報記憶部１０２と、異常判断部１０４と、異常有無情報出力部１０６とを有している。対応情報生成部１００は、対応情報を生成する。対応情報は、次に述べられる対応関係を示す。その対応関係は、電線測定部３０が電力を供給した電線２２０と電線２２０への電力の供給に応じて電圧および電流の少なくとも一方の変動が生じた電線２２０との関係である。予定情報記憶部１０２は、予定情報を予め記憶する。予定情報は、複数の電線２２０それぞれについて電線２２０への電力の供給に応じて電圧および電流の少なくとも一方の変動が生じるべき電線２２０を示す。異常判断部１０４は、対応情報により特定される電線２２０と予定情報により特定される電線２２０との相違の有無に応じて、異常の有無を判断する。異常有無情報出力部１０６は、異常有無情報を出力する。異常有無情報は、異常の有無を示す。
【０００９】
対応情報生成部１００は、対応情報を生成する。予定情報記憶部１０２は、予定情報を予め記憶する。異常判断部１０４は、対応情報により特定される電線２２０と予定情報により特定される電線２２０との相違の有無に応じて、異常の有無を判断する。これにより、電線２２０への電力の供給に応じて電圧および電流の少なくとも一方の変動が生じるべき電線２２０においてその変動が生じたか否かを判断できる。その結果、複数の電線２２０を備える電線束２００，２０２，２０４，２０６においてある電線が予め定められた通りに導通しているか否かを判断できる。
【００１０】
また、上述された異常判断部１０４が、一致判断部１２０と、無異常情報生成部１２２と、異常種類情報生成部１２４とを有していることが望ましい。一致判断部１２０は、複数の電線２２０それぞれについて、対応情報により特定される電線２２０と予定情報により特定される電線２２０とが一致するか否かを判断する。無異常情報生成部１２２は、電線測定部３０が電力を供給した電線２２０のすべてについて対応情報により特定される電線２２０と予定情報により特定される電線２２０とが一致する場合、異常がないことを示す異常有無情報を生成する。異常種類情報生成部１２４は、次に述べられる場合、異常の種類を示す異常有無情報を生成する。その場合とは、電線測定部３０が電力を供給した電線２２０のいずれかについて対応情報により特定される電線２２０と予定情報により特定される電線２２０とが相違する場合である。異常の種類を示す異常有無情報は、対応情報により特定される電線２２０と予定情報により特定される電線２２０との相違内容に応じて生成される。この場合、異常有無情報出力部１０６が、異常判断部１０４が生成した異常有無情報を出力することが望ましい。
【００１１】
対応情報により特定される電線２２０と予定情報により特定される電線２２０との相違内容は、電線２２０における異常の種類と関連性を有している。異常の種類を示す異常有無情報は、その相違内容に応じて生成される。異常有無情報出力部１０６が、異常判断部１０４が生成した異常有無情報を出力する。これにより、電線２２０における異常の種類を示唆する異常有無情報が出力されることとなる。
【００１２】
もしくは、上述された異常種類情報生成部１２４が、短絡情報生成部１４０と、断線情報生成部１４４と、誤接続情報生成部１４８とを有していることが望ましい。短絡情報生成部１４０は、電線測定部３０が電力を供給した電線２２０のいずれかについて次に述べられる２種類の要件が満たされると、短絡が生じていることを示す異常有無情報を生成する。それらの要件の１種類目は、対応情報により特定される電線２２０のうち予定情報により特定される電線２２０に一致しない電線２２０が存在するという要件である。それらの要件の２種類目は、予定情報により特定される電線２２０のうち対応情報により特定される電線２２０に一致しない電線２２０が存在しないという要件である。断線情報生成部１４４は、電線測定部３０が電力を供給した電線２２０のいずれかについて次に述べられる２種類の要件が満たされると、断線が生じていることを示す異常有無情報を生成する。それらの要件の１種類目は、予定情報により特定される電線２２０のうち対応情報により特定される電線２２０に一致しない電線２２０が存在するという要件である。それらの要件の２種類目は、対応情報により特定される電線２２０のうち予定情報により特定される電線２２０に一致しない電線２２０が存在しないという要件である。誤接続情報生成部１４８は、電線測定部３０が電力を供給した電線２２０のいずれかについて次に述べられる２種類の電線２２０が共に存在するという要件が満たされると、誤接続が生じていることを示す異常有無情報を生成する。１種類目の電線２２０は、対応情報により特定される電線２２０のうち予定情報により特定される電線２２０に一致しない電線２２０である。２種類目の電線２２０は、予定情報により特定される電線２２０のうち対応情報により特定される電線２２０に一致しない電線２２０である。
【００１３】
要件が満たされる場合、異常種類情報生成部１２４は、短絡が生じていることを示す異常有無情報と断線が生じていることを示す異常有無情報と誤接続が生じていることを示す異常有無情報とのうちいずれかを生成する。異常有無情報出力部１０６が、異常判断部１０４が生成した異常有無情報を出力する。これにより、電線２２０における断線と短絡と誤接続とに対応する異常有無情報が出力されることとなる。その結果、電線２２０における断線と短絡と誤接続とを検知できる。
【００１４】
もしくは、上述された異常種類情報生成部１２４が、短絡電線情報生成部１４２と、断線電線情報生成部１４６と、誤接続電線情報生成部１５０とを有していることが望ましい。短絡電線情報生成部１４２は、電線測定部３０が電力を供給した電線２２０のいずれかについて次に述べられる２種類の要件が満たされると、短絡電線情報を生成する。それらの要件の１種類目は、対応情報により特定される電線２２０のうち予定情報により特定される電線２２０に一致しない電線２２０が存在するという要件である。それらの要件の２種類目は、予定情報により特定される電線２２０のうち対応情報により特定される電線２２０に一致しない電線２２０が存在しないという要件である。短絡電線情報は、上述された対応情報により特定される電線２２０のうち予定情報により特定される電線２２０に一致しない電線２２０を示す。断線電線情報生成部１４６は、電線測定部３０が電力を供給した電線２２０のいずれかについて次に述べられる２種類の要件が満たされると、断線電線情報を生成する。それらの要件の１種類目は、予定情報により特定される電線２２０のうち対応情報により特定される電線２２０に一致しない電線２２０が存在するという要件である。それらの要件の２種類目は、対応情報により特定される電線２２０のうち予定情報により特定される電線２２０に一致しない電線２２０が存在しないという要件である。断線電線情報は、上述された予定情報により特定される電線２２０のうち対応情報により特定される電線２２０に一致しない電線２２０を示す。誤接続電線情報生成部１５０は、電線測定部３０が電力を供給した電線２２０のいずれかについて次に述べられる２種類の電線２２０が共に存在するという要件が満たされると、誤接続電線情報を生成する。１種類目の電線２２０は、対応情報により特定される電線２２０のうち予定情報により特定される電線２２０に一致しない電線２２０である。２種類目の電線２２０は、予定情報により特定される電線２２０のうち対応情報により特定される電線２２０に一致しない電線２２０である。誤接続電線情報は、次に述べられる２種類の電線２２０を示す。１種類目の電線２２０は、上述された予定情報により特定される電線２２０のうち対応情報により特定される電線２２０に一致しない電線２２０である。２種類目の電線２２０は、上述された対応情報により特定される電線２２０のうち予定情報により特定される電線２２０に一致しない電線２２０である。
【００１５】
要件が満たされる場合、異常種類情報生成部１２４は、短絡電線情報と断線電線情報と誤接続電線情報とのうちいずれかを生成する。これにより、異常有無情報出力部１０６は、短絡電線情報と断線電線情報と誤接続電線情報とのうちいずれかを異常有無情報として出力することとなる。その結果、電線２２０のうち断線と短絡と誤接続とのうちいずれかが生じている電線２２０を検知できる。
【００１６】
本発明の他の局面にしたがうと、電線検査方法は、電力供給工程Ｓ２０４と、電線測定工程Ｓ２０６と、機能判断工程Ｓ２１０とを備える。電力供給工程Ｓ２０４において、検査の対象である電線束２００，２０２，２０４，２０６の少なくとも一部を構成する複数の電線２２０のいずれかに電力が供給される。電線測定工程Ｓ２０６において、電力の供給の際の複数の電線２２０のうち少なくとも２本における電圧および電流の少なくとも一方が測定される。機能判断工程Ｓ２１０において、電線測定工程Ｓ２０６において測定された電圧および電流の少なくとも一方に基づいて複数の電線２２０それぞれにおける通電機能が判断される。機能判断工程Ｓ２１０が、対応情報生成工程Ｓ２２０と、異常判断工程Ｓ２２２とを有している。対応情報生成工程Ｓ２２０において、対応情報が生成される。対応情報は、次に述べられる対応関係を示す。その対応関係は、電線測定工程Ｓ２０６において電力が供給された電線２２０と電線２２０への電力の供給に応じて電圧および電流の少なくとも一方の変動が生じた電線２２０との関係である。異常判断工程Ｓ２２２において、対応情報により特定される電線２２０と電線２２０への電力の供給に応じて電圧および電流の少なくとも一方の変動が生じるべき電線２２０との相違の有無に応じて、異常の有無が判断される。
【００１７】
対応情報生成工程Ｓ２２０において、対応情報が生成される。異常判断工程Ｓ２２２において、対応情報により特定される電線２２０と電線２２０から電力が供給されたときに電圧および電流の少なくとも一方の変化が検知されるべき電線２２０との相違の有無に応じて、異常の有無が判断される。これにより、電線２２０から電力が供給されたときに変化が検知されるべき電線２２０においてその変化が検知されたか否かが判断できる。その結果、複数の電線を備える電線束２００，２０２，２０４，２０６においてある電線が予め定められた通りに導通しているか否かを判断できる。
【発明の効果】
【００１８】
本発明によれば、複数の電線を備える電線束においてある電線が予め定められた通りに導通しているか否かを判断できる。
【図面の簡単な説明】
【００１９】
【図１】本発明の一実施形態にかかる電線検査装置の構成を表す図である。
【図２】本発明の一実施形態にかかる一方側電線接続部および他方側電線接続部の構成を示す図である。
【図３】本発明の一実施形態にかかる検査結果出力部の機能ブロック図である。
【図４】本発明の一実施形態にかかる電線検査方法の制御の手順を示すフローチャートである。
【図５】本発明の一実施形態にかかる結果出力工程の制御の手順を示すフローチャートである。
【図６】本発明の一実施形態にかかる異常種類情報生成工程の制御の手順を示すフローチャートである。
【図７】本発明の一実施形態にかかる正しく接続されたワイヤハーネスを示す概念図である。
【図８】本発明の一実施形態にかかる正しく接続されたワイヤハーネスについて生成された対応情報の構造を示す概念図である。
【図９】本発明の一実施形態にかかる誤接続があるワイヤハーネスを示す概念図である。
【図１０】本発明の一実施形態にかかる誤接続があるワイヤハーネスについて生成された対応情報の構造を示す概念図である。
【図１１】本発明の一実施形態にかかる短絡があるワイヤハーネスを示す概念図である。
【図１２】本発明の一実施形態にかかる短絡があるワイヤハーネスについて生成された対応情報の構造を示す概念図である。
【図１３】本発明の一実施形態にかかる断線があるワイヤハーネスを示す概念図である。
【図１４】本発明の一実施形態にかかる断線があるワイヤハーネスについて生成された対応情報の構造を示す概念図である。
【発明を実施するための形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
［電線検査装置の構成の説明］
以下、本発明の一実施形態について説明する。図１は、本実施形態にかかる電線検査装置２０の構成を表す図である。図１に基づいて、本実施形態にかかる電線検査装置２０の構成が説明される。ワイヤハーネス２００が、本実施形態における電線束である。本実施形態においては、ワイヤハーネス２００が検査の対象となる。ワイヤハーネス２００は、複数の電線２２０によって構成される。
【００２２】
本実施形態にかかる電線検査装置２０は、電線測定部３０と、検査結果出力部３６とを備える。
【００２３】
本実施形態にかかる電線測定部３０は、ワイヤハーネス２００を構成する複数の電線２２０に接続される。本実施形態にかかる電線測定部３０は、電源部４０と、一方側電線接続部４２と、他方側電線接続部４４とを有する。
【００２４】
電源部４０は、一方側電線接続部４２および他方側電線接続部４４を介してワイヤハーネス２００を構成する複数の電線２２０それぞれに電力を供給する。ただし、本実施形態の場合、その電力の電流値はごくわずかである。電流値がごくわずかなのは、本実施形態の場合、電圧の大きさに基づいて信号が識別されるためである。
【００２５】
一方側電線接続部４２は、ワイヤハーネス２００に接続される。これにより、ワイヤハーネス２００を構成する複数の電線２２０それぞれに一方側電線接続部４２が接続されることとなる。一方側電線接続部４２は、ワイヤハーネス２００を構成する複数の電線２２０それぞれに供給される電力の大きさを制御する。本実施形態の場合、一方側電線接続部４２は、その電力のうち電圧の大きさを制御することにより、電力の大きさを制御する。一方側電線接続部４２は、検査結果出力部３６の制御に応じて電圧の大きさを制御する。また、一方側電線接続部４２は、ワイヤハーネス２００を構成する複数の電線２２０それぞれにおける電圧を測定する。一方側電線接続部４２は、測定結果を示す情報を検査結果出力部３６に出力する。
【００２６】
他方側電線接続部４４は、ワイヤハーネス２００に接続される。これにより、ワイヤハーネス２００を構成する複数の電線２２０それぞれに他方側電線接続部４４が接続されることとなる。他方側電線接続部４４は、ワイヤハーネス２００を構成する複数の電線２２０それぞれに供給される電力の大きさを制御する。本実施形態の場合、他方側電線接続部４４は、その電力のうち電圧の大きさを制御することにより、電力の大きさを制御する。他方側電線接続部４４は、検査結果出力部３６の制御に応じて電圧の大きさを制御する。また、他方側電線接続部４４は、ワイヤハーネス２００を構成する複数の電線２２０それぞれにおける電圧を測定する。他方側電線接続部４４は、測定結果を示す情報を検査結果出力部３６に出力する。
【００２７】
検査結果出力部３６は、一方側電線接続部４２および他方側電線接続部４４を制御する。検査結果出力部３６は、一方側電線接続部４２および他方側電線接続部４４から測定結果を示す情報を受付ける。検査結果出力部３６は、その測定結果が示す電圧に基づいてワイヤハーネス２００を構成する複数の電線２２０それぞれにおける通電機能の検査結果を示す情報を出力する。
【００２８】
本実施形態の場合、検査結果出力部３６は、周知のコンピュータによって実現される。このコンピュータは、制御部５０と 、記憶部５２と、入力装置５４と、表示装置５６と、一方側Ｉ／Ｏ（Input/Output）５８と、他方側Ｉ／Ｏ６０と、電源Ｉ／Ｏ６２とを有する。制御部５０は、ＣＰＵ（Central Processing Unit）などによって実現される。制御部５０は、記憶部５２から読出したプログラムを実行することにより、そのプログラムにおいて定められた手順に従ってコンピュータを構成する各装置を制御する。記憶部５２は、ＲＯＭ（Read only memory）およびＲＡＭ（Random access memory）などによって実現される。記憶部５２は、プログラムとデータとを記憶する。入力装置５４は、検査者の入力に応じて信号を生成する。これにより、コンピュータに情報が入力される。表示装置５６は、画像を表示することにより情報を出力する。一方側Ｉ／Ｏ５８は、一方側電線接続部４２に接続される。一方側Ｉ／Ｏ５８は、一方側電線接続部４２に対して制御のための信号を出力する。一方側Ｉ／Ｏ５８は、一方側電線接続部４２が出力した測定結果を示す情報を受付ける。他方側Ｉ／Ｏ６０は、他方側電線接続部４４に接続される。他方側Ｉ／Ｏ６０は、他方側電線接続部４４に対して制御のための信号を出力する。他方側Ｉ／Ｏ６０は、他方側電線接続部４４が出力した測定結果を示す情報を受付ける。電源Ｉ／Ｏ６２は、電源部４０に接続される。電源Ｉ／Ｏ６２は、電源部４０に対して制御のための信号を出力する。
【００２９】
図２は、本実施形態にかかる一方側電線接続部４２および他方側電線接続部４４の構成を示す図である。図２に基づいて、本実施形態にかかる一方側電線接続部４２および他方側電線接続部４４の構成が説明される。
【００３０】
本実施形態の場合、一方側電線接続部４２は、一端コネクタ７０と、一方側出力回路７２と、一方側入力回路７４とを有する。一端コネクタ７０にはワイヤハーネス２００が接続される。一方側出力回路７２は、一端コネクタ７０に接続される。一方側出力回路７２を通じて電力は電源部４０から一端コネクタ７０へ供給される。電力は一端コネクタ７０を通じてワイヤハーネス２００の電線２２０へ供給され得る。一方側入力回路７４は、一端コネクタ７０と並列に一方側出力回路７２に接続される。一方側入力回路７４は接地されている。一方側入力回路７４は、一方側出力回路７２を通じて供給される電力における対地電圧を測定する。
【００３１】
本実施形態の場合、一端コネクタ７０は、６４個の端子を有する。それらの端子には、識別情報が付されている。それらの識別情報によって各端子は識別される。本実施形態の場合、その識別情報は数値からなる。本実施形態の場合、一端コネクタ７０の各端子には、「１」乃至「６４」のいずれかの数値が識別情報として付されている。
【００３２】
本実施形態の場合、一方側出力回路７２と一方側入力回路７４とは、一端コネクタ７０に接続されるための図示されない端子を有する。本実施形態の場合、それらの端子には、識別情報が付されている。それらの識別情報によって各端子は識別される。本実施形態の場合、その識別情報は、一方側出力回路７２の端子なのか一方側入力回路７４の端子なのかを示す部分と、数値部分とを有する。本実施形態の場合、その識別情報のうち一方側出力回路７２の端子なのか一方側入力回路７４の端子なのかを示す部分が「ＤＯ」であれば、その識別情報が付されている端子は一方側出力回路７２の端子である。その識別情報のうち一方側出力回路７２の端子なのか一方側入力回路７４の端子なのかを示す部分が「ＤＩ」であれば、その識別情報が付されている端子は一方側入力回路７４の端子である。一方側出力回路７２の端子の間では、識別情報のうち数値部分は互いに異なる。一方側入力回路７４の端子の間でも、識別情報のうち数値部分は互いに異なる。これにより、検査結果出力部３６は、一方側出力回路７２の端子と一方側入力回路７４の端子との中から任意の端子を特定できる。本実施形態の場合、一方側出力回路７２が有する各端子は、それらに付された識別情報のうち数値部分が同一の識別情報が付された一方側入力回路７４の端子に接続されている。一方側出力回路７２が有する各端子と一方側入力回路７４の各端子とは、それらの識別情報のうち数値部分の値と同じ数値が識別情報として付された一端コネクタ７０の端子に接続されている。
【００３３】
本実施形態の場合、他方側電線接続部４４は、他端コネクタ７６と、他端側出力回路７８と、他端側入力回路８０とを有する。他端コネクタ７６にもワイヤハーネス２００が接続される。他端側出力回路７８は、他端コネクタ７６に接続される。他端側出力回路７８を通じて電力は電源部４０から他端コネクタ７６へ供給される。電力は他端コネクタ７６を通じてワイヤハーネス２００の電線２２０へ供給され得る。他端側入力回路８０は、他端コネクタ７６と並列に他端側出力回路７８に接続される。他端側入力回路８０は接地されている。他端側入力回路８０は、他端側出力回路７８を通じて供給される電力における対地電圧を測定する。
【００３４】
本実施形態の場合、他端コネクタ７６は、一端コネクタ７０と同様に、６４個の端子を有する。それらの端子にも、識別情報が付されている。それらの識別情報によって各端子は識別される。本実施形態の場合、その識別情報も数値からなる。本実施形態の場合、他端コネクタ７６の各端子には、「６５」乃至「１２８」のいずれかの数値が識別情報として付されている。これにより、一端コネクタ７０が有する端子と他端コネクタ７６が有する端子とは、識別情報によって一意に特定され得る。
【００３５】
本実施形態の場合、一方側出力回路７２および一方側入力回路７４の場合と同様に、他端側出力回路７８と他端側入力回路８０とは、他端コネクタ７６に接続されるための図示されない端子を有する。本実施形態の場合、それらの端子にも、識別情報が付されている。それらの識別情報によって各端子は識別される。本実施形態の場合、その識別情報は、他端側出力回路７８の端子なのか他端側入力回路８０の端子なのかを示す部分と、数値部分とを有する。本実施形態の場合、その識別情報のうち他端側出力回路７８の端子なのか他端側入力回路８０の端子なのかを示す部分が「ＤＯ」であれば、その識別情報が付されている端子は他端側出力回路７８の端子である。その識別情報のうち他端側出力回路７８の端子なのか他端側入力回路８０の端子なのかを示す部分が「ＤＩ」であれば、その識別情報が付されている端子は他端側入力回路８０の端子である。他端側出力回路７８の端子の間では、識別情報のうち数値部分は互いに異なる。他端側入力回路８０の端子の間でも、識別情報のうち数値部分は互いに異なる。これにより、検査結果出力部３６は、他端側出力回路７８の端子と他端側入力回路８０の端子との中から任意の端子を特定できる。本実施形態の場合、他端側出力回路７８が有する各端子は、それらに付された識別情報のうち数値部分が同一の識別情報が付された他端側入力回路８０の端子に接続されている。他端側出力回路７８が有する各端子と他端側入力回路８０の各端子とは、それらの識別情報のうち数値部分の値と同じ数値が識別情報として付された他端コネクタ７６の端子に接続されている。
【００３６】
［検査結果出力部の機能の説明］
図３は、検査結果出力部３６の機能ブロック図である。図３に基づいて、本実施形態にかかる検査結果出力部３６の構成とその機能とが説明される。上述されたコンピュータの、制御部５０と、記憶部５２と、入力装置５４と、表示装置５６と、一方側Ｉ／Ｏ５８と、他方側Ｉ／Ｏ６０と、電源Ｉ／Ｏ６２とは、電線検査装置２０の検査結果出力部３６を構成する。
【００３７】
検査結果出力部３６は、対応情報生成部１００と、予定情報記憶部１０２と、異常判断部１０４と、異常有無情報出力部１０６とを有している。
【００３８】
対応情報生成部１００は、電線測定部３０を制御する。対応情報生成部１００は、電線測定部３０が出力した情報を受付ける。対応情報生成部１００は、対応情報を生成する。対応情報は、次に述べられる対応関係を示す。その対応関係は、電線測定部３０が電力を供給した電線２２０とその電線２２０への電力の供給に応じて電圧の変動が生じた電線２２０との関係である。本実施形態における対応情報の具体的な構成は後述される。
【００３９】
予定情報記憶部１０２は、予定情報を予め記憶する。予定情報は、ワイヤハーネス２００の複数の電線２２０それぞれについて電線２２０への電力の供給に応じて電圧の変動が生じるべき電線２２０を示す。本実施形態の場合、予定情報の具体的な構成は対応情報の構成と同一である。予定情報と対応情報との相違点は、前者が電圧の変動が生じるべき電線２２０を示すのに対して後者が電圧の変動が生じた電線２２０を示すという点で異なる。
【００４０】
異常判断部１０４は、対応情報により特定される電線２２０と予定情報により特定される電線２２０との相違の有無に応じて、異常の有無を判断する。
【００４１】
異常有無情報出力部１０６は、異常有無情報を出力する。異常有無情報は、異常の有無を示す。
【００４２】
本実施形態の場合、異常判断部１０４は、一致判断部１２０と、無異常情報生成部１２２と、異常種類情報生成部１２４とを有している。
【００４３】
一致判断部１２０は、ワイヤハーネス２００の複数の電線２２０それぞれについて、対応情報により特定される電線２２０と予定情報により特定される電線２２０とが一致するか否かを判断する。
【００４４】
無異常情報生成部１２２は、次に述べられる場合、異常がないことを示す異常有無情報を生成する。その場合とは、ワイヤハーネス２００のうち電源部４０が電力を供給した電線２２０のすべてについて、対応情報により特定される電線２２０と予定情報により特定される電線２２０とが一致する場合である。
【００４５】
異常種類情報生成部１２４は、次に述べられる場合、異常の種類を示す異常有無情報を生成する。その場合とは、ワイヤハーネス２００のうち電源部４０が電力を供給した電線２２０のいずれかについて対応情報により特定される電線２２０と予定情報により特定される電線２２０とが相違する場合である。異常の種類を示す異常有無情報は、対応情報により特定される電線２２０と予定情報により特定される電線２２０との相違内容に応じて生成される。なお、本実施形態の場合、上述された異常有無情報出力部１０６は、異常判断部１０４が生成した異常有無情報を出力する。
【００４６】
本実施形態の場合、異常種類情報生成部１２４は、短絡情報生成部１４０と、短絡電線情報生成部１４２と、断線情報生成部１４４と、断線電線情報生成部１４６と、誤接続情報生成部１４８と、誤接続電線情報生成部１５０とを有している。
【００４７】
短絡情報生成部１４０は、ワイヤハーネス２００のうち電源部４０が電力を供給した電線２２０のいずれかについて次に述べられる２種類の要件が満たされると、短絡が生じていることを示す異常有無情報を生成する。それらの要件の１種類目は、対応情報により特定される電線２２０のうち予定情報により特定される電線２２０に一致しない電線２２０が存在するという要件である。それらの要件の２種類目は、予定情報により特定される電線２２０のうち対応情報により特定される電線２２０に一致しない電線２２０が存在しないという要件である。
【００４８】
短絡電線情報生成部１４２は、ワイヤハーネス２００のうち電源部４０が電力を供給した電線２２０のいずれかについて短絡情報生成部１４０のものと同じ２種類の要件が満たされると、短絡電線情報を生成する。短絡電線情報は、上述された対応情報により特定される電線２２０のうち予定情報により特定される電線２２０に一致しない電線２２０を示す。
【００４９】
断線情報生成部１４４は、ワイヤハーネス２００のうち電源部４０が電力を供給した電線２２０のいずれかについて次に述べられる２種類の要件が満たされると、断線が生じていることを示す異常有無情報を生成する。それらの要件の１種類目は、予定情報により特定される電線２２０のうち対応情報により特定される電線２２０に一致しない電線２２０が存在するという要件である。それらの要件の２種類目は、対応情報により特定される電線２２０のうち予定情報により特定される電線２２０に一致しない電線２２０が存在しないという要件である。
【００５０】
断線電線情報生成部１４６は、ワイヤハーネス２００のうち電源部４０が電力を供給した電線２２０のいずれかについて断線情報生成部１４４のものと同じ２種類の要件が満たされると、断線電線情報を生成する。断線電線情報は、上述された予定情報により特定される電線２２０のうち対応情報により特定される電線２２０に一致しない電線２２０を示す。
【００５１】
誤接続情報生成部１４８は、ワイヤハーネス２００のうち電源部４０が電力を供給した電線２２０のいずれかについて次に述べられる２種類の電線２２０が共に存在するという要件が満たされると、誤接続が生じていることを示す異常有無情報を生成する。１種類目の電線２２０は、対応情報により特定される電線２２０のうち予定情報により特定される電線２２０に一致しない電線２２０である。２種類目の電線２２０は、予定情報により特定される電線２２０のうち対応情報により特定される電線２２０に一致しない電線２２０である。
【００５２】
誤接続電線情報生成部１５０は、ワイヤハーネス２００のうち電源部４０が電力を供給した電線２２０のいずれかについて誤接続情報生成部１４８のものと同じ要件が満たされると、誤接続電線情報を生成する。誤接続電線情報は、次に述べられる２種類の電線２２０を示す。１種類目の電線２２０は、上述された予定情報により特定される電線２２０のうち対応情報により特定される電線２２０に一致しない電線２２０である。２種類目の電線２２０は、上述された対応情報により特定される電線２２０のうち予定情報により特定される電線２２０に一致しない電線２２０である。
【００５３】
［フローチャートの説明］
図４は、本実施形態にかかる電線検査方法の制御の手順を示すフローチャートである。図４に示されるように、このプログラムは、次に述べられる複数の工程を上述されたコンピュータに実行させるものである。それら複数の工程は、自己検査工程Ｓ２００、端子接続工程Ｓ２０２、電力供給工程Ｓ２０４、電線測定工程Ｓ２０６、測定完了判断工程Ｓ２０８、機能判断工程Ｓ２１０、および、検査結果出力工程Ｓ２１２である。プログラムを実行した結果、コンピュータは、それら複数の工程を備える電線検査方法を実施することとなる。以下、これらの各工程の具体的な内容が説明される。
【００５４】
自己検査工程Ｓ２００において、本実施形態にかかる電線検査装置２０の対応情報生成部１００は、電源部４０に一方側出力回路７２および他端側出力回路７８へ電力を供給させる。電源部４０による電力供給開始と同時に、対応情報生成部１００は、その電力における対地電圧の大きさを一方側出力回路７２および他端側出力回路７８に制御させる。一方側入力回路７４と他端側入力回路８０とは、各々の端子の対地電圧を測定する。一方側入力回路７４と他端側入力回路８０とは、自らが測定した対地電圧に基づいて、各々の端子の対地電圧が「０」か否かを示す情報を対応情報生成部１００に出力する。一方側電線接続部４２と他方側電線接続部４４とにおいて断線がなければ、すべての端子の対地電圧は一方側出力回路７２および他端側出力回路７８に制御された大きさとなる。すなわちその対地電圧は「０」ではない。いずれかの端子の対地電圧が一方側出力回路７２および他端側出力回路７８に制御された大きさと異なれば、対応情報生成部１００は、本実施形態にかかる電線検査方法の実施を中止する。すべての端子の対地電圧が一方側出力回路７２および他端側出力回路７８に制御された大きさと等しければ、対応情報生成部１００は、本実施形態にかかる電線検査方法の実施を続行する。これにより、電線検査装置２０は自らの一方側電線接続部４２および他方側電線接続部４４における断線の有無を検査することとなる。
【００５５】
端子接続工程Ｓ２０２において、検査者は、ワイヤハーネス２００の各電線２２０を一方側電線接続部４２と他方側電線接続部４４とに接続する。ワイヤハーネス２００の各電線２２０が一方側電線接続部４２と他方側電線接続部４４とに接続されると、対応情報生成部１００は、検査者からの検査開始の指示を待つ。検査者が検査開始の指示を検査結果出力部３６に入力すると、対応情報生成部１００は、所定の変数の値を「０」に設定する。本実施形態においては、この変数は「カウンタ」と称される。
【００５６】
電力供給工程Ｓ２０４において、対応情報生成部１００は、カウンタの値を「１」増加させる。次に、対応情報生成部１００は、電源部４０にワイヤハーネス２００の電線２２０へ電力を供給させる。電源部４０による電力供給開始と同時に、対応情報生成部１００は、次に述べられる電圧の大きさを一方側電線接続部４２と他方側電線接続部４４とのうち一方に制御させる。その電圧は、ワイヤハーネス２００の複数の電線２２０のうち次に述べられているものに供給される電力の電圧である。その電線２２０は、次に述べられている端子に接続されているものである。その端子は、一方コネクタ２２２が有する端子と他方コネクタ２２４が有する端子とのうち、これに付されている識別情報がカウンタの値に一致するものである。これにより、その電線２２０における対地電圧は他の電線２２０における対地電圧よりも高くなる。本実施形態においては、ある電線２２０における対地電圧が所定の電圧値よりも高くなっているとき、その電線２２０にかかる電圧が「Ｈｉｇｈ状態」であるとみなされる。ある電線２２０における対地電圧が所定の電圧値以下のとき、その電線２２０にかかる電圧が「Ｌｏｗ状態」であるとみなされる。
【００５７】
電線測定工程Ｓ２０６において、対応情報生成部１００は、一方側電線接続部４２の一方側入力回路７４と他方側電線接続部４４の他端側入力回路８０とに対して信号を出力する。一方側入力回路７４と他端側入力回路８０とは、その信号を受付けると、ワイヤハーネス２００の各電線２２０における電圧を測定する。一方側入力回路７４と他端側入力回路８０とは、自らが測定した電圧に基づいて、ワイヤハーネス２００の各電線２２０における電圧が「Ｈｉｇｈ状態」か「Ｌｏｗ状態」かを示す情報を対応情報生成部１００に出力する。対応情報生成部１００は、ワイヤハーネス２００の電線２２０への電力供給の際のワイヤハーネス２００の各電線２２０の電圧の状態を示す情報とカウンタの値とを対応付けて記憶する。
【００５８】
測定完了判断工程Ｓ２０８において、対応情報生成部１００は、ワイヤハーネス２００のすべての電線２２０につきこれに供給される電圧の制御が行われたか否かを判断する。本実施形態の場合、この判断は、対応情報生成部１００が予め記憶した値とカウンタの値とが一致するか否かに基づいて判断される。本実施形態においては、対応情報生成部１００が予め記憶した値は、一端コネクタ７０が有する端子の数と他端コネクタ７６が有する端子の数との和に等しい。すなわち、対応情報生成部１００が予め記憶した値は「１２８」である。対応情報生成部１００が予め記憶した値とカウンタの値とが一致すると、ワイヤハーネス２００のすべての電線２２０につきこれに供給される電圧の制御が行われたと判断される。すべての電線２２０につき電圧の制御が行われたと判断された場合（Ｓ２０８にてＹＥＳ）、処理はＳ２１０へと移される。そうでない場合（Ｓ２０８にてＮＯ）、処理はＳ２０４へと移される。
【００５９】
機能判断工程Ｓ２１０において、検査結果出力部３６は、ワイヤハーネス２００の各電線２２０における電圧が「Ｈｉｇｈ状態」か「Ｌｏｗ状態」かを示す情報に基づいて、複数の電線２２０それぞれにおける通電機能を判断する。これにより、電線測定工程Ｓ２０６において測定された電圧に基づいて複数の電線２２０それぞれにおける通電機能が判断されることとなる。
【００６０】
検査結果出力工程Ｓ２１２において、異常有無情報出力部１０６は、機能判断工程Ｓ２１０における判断の結果を示す情報を出力する。本実施形態において、その情報は、異常有無情報を含む。異常有無情報は、異常の有無を示す。
【００６１】
図５は、本実施形態にかかる機能判断工程Ｓ２１０の制御の手順を示すフローチャートである。図５に基づいて、本実施形態にかかる機能判断工程Ｓ２１０の制御の手順が説明される。本実施形態の場合、機能判断工程Ｓ２１０は、対応情報生成工程Ｓ２２０と、異常判断工程Ｓ２２２とを有している。
【００６２】
対応情報生成工程Ｓ２２０において、対応情報生成部１００は、対応情報を生成する。本実施形態の場合、電力供給工程Ｓ２０４と電線測定工程Ｓ２０６と測定完了判断工程Ｓ２０８とが繰り返される間に、一方側入力回路７４と他端側入力回路８０とは、次に述べられる情報の出力を繰り返す。その情報は、ワイヤハーネス２００の各電線２２０における電圧が「Ｈｉｇｈ状態」か「Ｌｏｗ状態」かを示す情報である。対応情報生成部１００は、出力されたその情報を一端コネクタ７０が有する端子の識別情報または他端コネクタ７６が有する端子の識別情報に対応付けて記憶している。電力供給工程Ｓ２０４と電線測定工程Ｓ２０６と測定完了判断工程Ｓ２０８との繰り返しが完了すると、対応情報生成部１００は、ワイヤハーネス２００の各電線２２０における電圧が「Ｈｉｇｈ状態」か「Ｌｏｗ状態」かを示すそれらの情報を一体化する。これが本実施形態における対応情報である。
【００６３】
異常判断工程Ｓ２２２において、異常判断部１０４は、異常の有無を判断する。この異常の有無は、対応情報により特定される電線２２０と電線２２０への電力の供給に応じて電圧の変動が生じるべき電線２２０との相違の有無に応じて判断される。
【００６４】
本実施形態の場合、異常判断工程Ｓ２２２は、一致判断工程Ｓ２４０と、無異常情報生成工程Ｓ２４２と、異常種類情報生成工程Ｓ２４４とを有している。
【００６５】
一致判断工程Ｓ２４０において、一致判断部１２０は、ワイヤハーネス２００の複数の電線２２０それぞれについて、次に述べられる２種類の電線２２０が一致するか否かを判断する。それら２種類の電線２２０は、対応情報により特定される電線２２０、および、予定情報により特定される電線２２０である。対応情報により特定される電線２２０と予定情報により特定される電線２２０とが一致すると判断された場合（Ｓ２４０にてＹＥＳ）、処理はＳ２４２へと移される。もしそうでない場合（Ｓ２４０にてＮＯ）、処理はＳ２４４へと移される。
【００６６】
無異常情報生成工程Ｓ２４２において、無異常情報生成部１２２は、異常がないことを示す異常有無情報を生成する。
【００６７】
異常種類情報生成工程Ｓ２４４において、異常種類情報生成部１２４は、異常の種類を示す異常有無情報を生成する。
【００６８】
図６は、本実施形態にかかる異常種類情報生成工程Ｓ２４４の制御の手順を示すフローチャートである。図６に基づいて、本実施形態にかかる異常種類情報生成工程Ｓ２４４の制御の手順が説明される。本実施形態の場合、異常種類情報生成工程Ｓ２４４は、短絡可能性判断工程Ｓ２６０と、誤接続判断工程Ｓ２６２と、誤接続情報生成工程Ｓ２６４と、誤接続電線情報生成工程Ｓ２６６と、短絡情報生成工程Ｓ２６８と、短絡電線情報生成工程Ｓ２７０と、断線判断工程Ｓ２７２と、断線情報生成工程Ｓ２７４と、断線電線情報生成工程Ｓ２７６と、不明情報生成工程Ｓ２７８とを有している。
【００６９】
短絡可能性判断工程Ｓ２６０において、一致判断部１２０は、対応情報により特定された電線２２０の中に予定情報により特定されるものではない電線２２０が存在するか否かを判断する。対応情報により特定された電線２２０の中に予定情報により特定されるものではない電線２２０が存在すると判断された場合（Ｓ２６０にてＹＥＳ）、処理はＳ２６２へと移される。もしそうでない場合（Ｓ２６０にてＮＯ）、処理はＳ２７２へと移される。
【００７０】
誤接続判断工程Ｓ２６２において、一致判断部１２０は、予定情報により特定される電線２２０の中に対応情報により特定されたものではない電線２２０が存在するか否かを判断する。予定情報により特定される電線２２０の中に対応情報により特定されたものではない電線２２０が存在すると判断された場合（Ｓ２６２にてＹＥＳ）、処理はＳ２６４へと移される。もしそうでない場合（Ｓ２６２にてＮＯ）、処理はＳ２６８へと移される。
【００７１】
誤接続情報生成工程Ｓ２６４において、誤接続情報生成部１４８は、誤接続が生じていることを示す異常有無情報を生成する。
【００７２】
誤接続電線情報生成工程Ｓ２６６において、誤接続電線情報生成部１５０は、誤接続電線情報を生成する。
【００７３】
短絡情報生成工程Ｓ２６８において、短絡情報生成部１４０は、短絡が生じていることを示す異常有無情報を生成する。
【００７４】
短絡電線情報生成工程Ｓ２７０において、短絡電線情報生成部１４２は、短絡電線情報を生成する。
【００７５】
断線判断工程Ｓ２７２において、一致判断部１２０は、予定情報により特定される電線２２０の中に対応情報により特定されたものではない電線２２０が存在するか否かを判断する。予定情報により特定される電線２２０の中に対応情報により特定されたものではない電線２２０が存在すると判断された場合（Ｓ２７２にてＹＥＳ）、処理はＳ２７４へと移される。もしそうでない場合（Ｓ２７２にてＮＯ）、処理はＳ２７８へと移される。
【００７６】
断線情報生成工程Ｓ２７４において、断線情報生成部１４４は、断線が生じていることを示す異常有無情報を生成する。
【００７７】
断線電線情報生成工程Ｓ２７６において、断線電線情報生成部１４６は、断線電線情報を生成する。
【００７８】
不明情報生成工程Ｓ２７８において、断線情報生成部１４４は、原因不明の異常が生じていることを示す異常有無情報を生成する。
【００７９】
［動作の説明］
（ワイヤハーネスに異常がない場合）
本実施形態にかかる電線検査装置２０は、起動すると自らの一方側電線接続部４２および他方側電線接続部４４の断線の有無を検査する（Ｓ２００）。
【００８０】
断線の有無が検査されると、検査者は、ワイヤハーネス２００の各電線２２０を一方側電線接続部４２と他方側電線接続部４４とに接続する。ワイヤハーネス２００の各電線２２０が一方側電線接続部４２と他方側電線接続部４４とに接続されると、対応情報生成部１００は、検査者からの検査開始の指示を待つ。検査者が検査開始の指示を検査結果出力部３６に入力すると、電線検査装置２０の対応情報生成部１００は、カウンタの値を「０」に設定する（Ｓ２０２）。
【００８１】
図７は、本実施形態にかかる正しく接続されたワイヤハーネス２００を示す概念図である。この場合、そのワイヤハーネス２００の各電線２２０が一方側電線接続部４２と他方側電線接続部４４とに接続されることとする。本実施形態にかかるワイヤハーネス２００は、複数（具体的には６４本）の電線２２０と、一方コネクタ２２２と、他方コネクタ２２４とを有する。複数の電線２２０はいずれも一方コネクタ２２２と他方コネクタ２２４とに接続される。複数の電線２２０はいずれも一方コネクタ２２２と他方コネクタ２２４とを介して一方側電線接続部４２および他方側電線接続部４４に接続される。一方コネクタ２２２と他方コネクタ２２４とはそれぞれ複数の電線２２０の本数に等しい個数の端子を有している。それらの端子には識別情報が数値で付されている。これにより、それらの端子は一意に特定され得る。このワイヤハーネス２００において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０が接続されている。一方コネクタ２２２の「２」という識別情報が付された端子に接続されている電線２２０は、一方コネクタ２２２の「３」という識別情報が付された端子にも接続されている。一方コネクタ２２２の「４」という識別情報が付された端子に接続されている電線２２０は、他方コネクタ２２４の「６８」という識別情報が付された端子に接続されている。この電線２２０には、「６７」という識別情報が付された端子に接続されている別の電線２２０が接続されている。一方コネクタ２２２の「５」という識別情報が付された端子に接続されている電線２２０は、他方コネクタ２２４の「６９」という識別情報が付された端子にも接続されている。一方コネクタ２２２の「６」という識別情報が付された端子に接続されている電線２２０は、他方コネクタ２２４の「７０」という識別情報が付された端子にも接続されている。以下同様である。その結果、一方コネクタ２２２の「６４」という識別情報が付された端子に接続されている電線２２０は、他方コネクタ２２４の「１２８」という識別情報が付された端子にも接続されている。
【００８２】
カウンタの値が「０」に設定されると、対応情報生成部１００は、カウンタの値を「１」増加させる。次に、電源部４０は、ワイヤハーネス２００の電線２２０への電力供給を開始する。電源部４０による電力供給開始と同時に、一方側電線接続部４２と他方側電線接続部４４とのうち一方は、次に述べられる電力の電圧の大きさを制御する。その電力は、ワイヤハーネス２００の複数の電線２２０のうち次に述べられているものに供給される電力である。その電線２２０は、次に述べられている端子に接続されているものである。その端子は、一方コネクタ２２２が有する端子と他方コネクタ２２４が有する端子とのうち、これに付されている識別情報がカウンタの値に一致するものである（Ｓ２０４）。例えばカウンタの値が「１」の場合、電圧の大きさが制御されるのは、一方コネクタ２２２が有する端子のうち「１」という識別情報が付されたものに接続されている電線２２０である。電圧の大きさが制御された電線２２０にかかる電圧は「Ｈｉｇｈ状態」となる。
【００８３】
電圧の大きさが制御されると、一方側入力回路７４と他端側入力回路８０とは、ワイヤハーネス２００の各電線２２０における電圧を測定する。一方側入力回路７４と他端側入力回路８０とは、自らが測定した電圧に基づいて、ワイヤハーネス２００の各電線２２０における電圧が「Ｈｉｇｈ状態」か「Ｌｏｗ状態」かを示す情報を対応情報生成部１００に出力する。対応情報生成部１００は、ワイヤハーネス２００の電線２２０への電力供給の際のワイヤハーネス２００の各電線２２０の電圧の状態を示す情報とカウンタの値とを対応付けて記憶する。これにより、対応情報生成部１００は、次に述べられる２種類の情報を対応付けて記憶することとなる（Ｓ２０６）。それらの情報は、ワイヤハーネス２００の電線２２０への電力供給の際のワイヤハーネス２００の各電線２２０の電圧の状態を示す情報と電圧の大きさが制御された電線２２０が接続されている端子の識別情報とである。
【００８４】
本実施形態においては、一方側出力回路７２の端子の個数は６４個である。一方側入力回路７４の端子の個数も同様である。他端側出力回路７８の端子の個数および他端側入力回路８０の端子の個数も同様である。仮に、一方側出力回路７２の端子のうち隣り合う４個の端子を１組と見なすとする。一方側出力回路７２の端子に接続されている電線２２０の電圧が「Ｈｉｇｈ状態」であることを「１」に対応付けるとする。端子に接続されている電線２２０の電圧が「Ｌｏｗ状態」であることを「０」に対応付けるとする。一方側出力回路７２の各端子の識別情報を数値の桁に対応付けるとする。この場合、一方側出力回路７２の４個の端子に接続されている電線２２０の状態は４桁の２進数によって表現できる。例えば下から４番目の桁と下から２番目の桁とに対応付けられる端子に接続されている電線２２０の状態が「Ｈｉｇｈ状態」で下から３番目の桁と下から１番目の桁とに対応付けられる端子に接続されている電線２２０の状態が「Ｌｏｗ状態」であるとする。この場合、それら４本の電線２２０の状態は「１０１０」という２進数によって表現できる。「１０１０」という２進数が１６進数に変換されると、その値は「Ａ」である。同様に、一方側出力回路７２の６４個の端子に接続されている電線２２０の状態は１６桁の１６進数により表現できることとなる。図７に示されたワイヤハーネス２００の一方コネクタ２２２が一方側電線接続部４２の一端コネクタ７０に接続されるとする。そのワイヤハーネス２００の他方コネクタ２２４が他方側電線接続部４４の他端コネクタ７６に接続されるとする。カウンタの値が「１」であるとする。この場合、一方コネクタ２２２のうち「１」という識別情報が付された端子に接続されている電線２２０の電圧の大きさが制御されると、一方コネクタ２２２の各端子に接続されている電線２２０の状態は、次に述べられる１６進数で示し得る。その１６進数は「００００  ００００  ００００  ０００１」という１６桁の１６進数である。上述した通り、ワイヤハーネス２００において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０が接続されている。その結果、一方コネクタ２２２の「１」という識別情報が付された端子に接続されている電線２２０の電圧の大きさが制御されると、次に述べられる電線２２０の状態が「Ｈｉｇｈ状態」となる。その電線２２０は、「６５」という識別情報が付された端子に接続された電線２２０、および、「６６」という識別情報が付された端子に接続されている電線２２０である。他の電線２２０の状態は「Ｌｏｗ状態」のままである。この状態のとき、「６８」「６７」「６６」「６５」という識別情報が付された端子に接続されている電線２２０の状態は、「００１１」という２進数で示し得る。この２進数が１６進数に変換されると、その状態は「３」という１６進数で示し得る。その結果、この場合の他方コネクタ２２４の各端子に接続されている電線２２０の状態は「００００  ００００  ００００  ０００３」という１６桁の１６進数で示し得る。
【００８５】
その後、対応情報生成部１００は、ワイヤハーネス２００のすべての電線２２０につきこれに供給される電圧の制御が行われたか否かを判断する（Ｓ２０８）。ワイヤハーネス２００のすべての電線２２０につきこれに供給される電圧の制御が行われるまでは（Ｓ２０８にてＮＯ）、Ｓ２０４乃至Ｓ２０８の処理が繰り返される。
【００８６】
その後、ワイヤハーネス２００のすべての電線２２０につきこれに供給される電圧の制御が行われると（Ｓ２０８にてＹＥＳ）、対応情報生成部１００は、対応情報を生成する（Ｓ２２０）。
【００８７】
図８は、対応情報生成部１００が生成した対応情報の構造を示す概念図である。本実施形態の場合、対応情報は電線測定工程Ｓ２０６において記憶された情報の集合体である。上述の通り、一方コネクタ２２２の「１」という識別情報が付された端子に接続されている電線２２０の電圧の大きさが制御されると、一方コネクタ２２２の各端子に接続されている電線２２０の状態は次に述べられる１６進数で示し得る。その１６進数は「００００  ００００  ００００  ０００１」という１６桁の１６進数である。その結果、「電圧制御された電線にかかる識別情報」に対応付けられる「一方コネクタの制御情報」欄のうち「６４〜４９」欄には「００００」という１６進数が示される。「４８〜３３」欄にも「００００」という１６進数が示される。「３２〜１７」欄にも「００００」という１６進数が示される。「１６〜１」欄には「０００１」という１６進数が示される。なお、「電圧制御された電線にかかる識別情報」は電圧の大きさが制御された電線２２０が接続された一方コネクタ２２２の端子の識別情報を意味する。上述の通り、一方コネクタ２２２の「１」という識別情報が付された端子に接続されている電線２２０の電圧の大きさが制御されると、他方コネクタ２２４の各端子に接続されている電線２２０の状態は次に述べられる１６進数で示し得る。その１６進数は「００００  ００００  ００００  ０００３」という１６桁の１６進数である。その結果、「電圧制御された電線にかかる識別情報」に対応付けられる「他方コネクタの制御情報」欄のうち「１２８〜１１３」欄には「００００」という１６進数が示される。「１１２〜９７」欄にも「００００」という１６進数が示される。「９６〜８１」欄にも「００００」という１６進数が示される。「８０〜６５」欄には「０００３」という１６進数が示される。本実施形態の場合、対応情報は、電圧の大きさが制御された電線２２０が接続された一方コネクタ２２２の端子の識別情報に対応付けられた１６桁の１６進数の対の集合体である。
【００８８】
対応情報が生成されると、一致判断部１２０は、ワイヤハーネス２００の複数の電線２２０それぞれについて、次に述べられる２種類の電線２２０が一致するか否かを判断する。それら２種類の電線２２０は、対応情報により特定される電線２２０、および、予定情報により特定される電線２２０である（Ｓ２４０）。
【００８９】
本実施形態の場合、予定情報の構造は対応情報と同一である。予定情報に含まれる数値は、ワイヤハーネス２００の電線２２０が正しく配線されている場合における対応情報と一致する。上述の説明から明らかな通り、対応情報は、同一の識別情報に対応付けられた１６桁の１６進数の対の集合体である。これにより、電圧が制御されたすべての電線２２０について次に述べられる２種類の要件が満たされるか否かに基づき、対応情報により特定される電線２２０、および、予定情報により特定される電線２２０が一致するか否かを判断できる。その１種類目の要件は、同一の識別情報に対応付けられ一方コネクタ２２２の各端子に接続されている電線２２０の状態を示す１６桁の１６進数の差が「０」であるという要件である。２種類目の要件は、同一の識別情報に対応付けられ他方コネクタ２２４の各端子に接続されている電線２２０の状態を示す１６桁の１６進数の差が「０」であるという要件である。
【００９０】
この場合、対応情報により特定される電線２２０、および、予定情報により特定される電線２２０が一致するので（Ｓ２４０にてＹＥＳ）、無異常情報生成部１２２は、異常がないことを示す異常有無情報を生成する（Ｓ２４２）。異常がないことを示す異常有無情報が生成されると、異常有無情報出力部１０６は、その異常有無情報を出力する（Ｓ２１２）。
【００９１】
（ワイヤハーネスの電線に誤接続がある場合）
図９は、本実施形態にかかる誤接続があるワイヤハーネス２０２を示す概念図である。このワイヤハーネス２０２において、一方コネクタ２２２の「１」という識別情報が付された端子に接続されている電線２２０は、他方コネクタ２２４の「６５」という識別情報が付された端子にも接続されている。この電線２２０には、本来「６６」という識別情報が付された端子に接続されている別の電線２２０に接続されるべきところ、「６７」という識別情報が付された端子に接続されている別の電線２２０が接続されている。一方コネクタ２２２の「４」という識別情報が付された端子に接続されている電線２２０は、他方コネクタ２２４の「６８」という識別情報が付された端子に接続されている。この電線２２０には、本来「６７」という識別情報が付された端子に接続されている別の電線２２０に接続されるべきところ、「６６」という識別情報が付された端子に接続されている別の電線２２０に接続されている。他の点については、このワイヤハーネス２０２は、図７に示されたワイヤハーネス２００と同一である。
【００９２】
上述の場合と同様に、Ｓ２００乃至Ｓ２０８の処理を経て、対応情報生成部１００は、対応情報を生成する（Ｓ２２０）。
【００９３】
図１０は、このワイヤハーネス２０２について生成された対応情報の構造を示す概念図である。この対応情報においては、「１」という「電圧制御された電線にかかる識別情報」に対応付けられる「他方コネクタの制御情報」欄のうち「８０〜６５」欄には「０００５」という１６進数が示される。上述の説明から明らかな通り、予定情報に含まれる数値は、ワイヤハーネス２００の電線２２０が正しく配線されている場合における対応情報と一致する。したがって、予定情報に含まれる数値は、図８に示された対応情報と同一である。その結果、予定情報において「１」という「電圧制御された電線にかかる識別情報」に対応付けられる「他方コネクタの制御情報」欄のうち「８０〜６５」欄の値は「０００３」である。「４」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００Ｃ」である。「６５」という「電圧制御された電線にかかる識別情報」に対応付けられる「他方コネクタの制御情報」欄のうち「８０〜６５」欄には「０００５」という１６進数が示される。上述の説明から明らかな通り、予定情報においてこれに対応する欄の値は「０００３」である。「６６」という「電圧制御された電線にかかる識別情報」に対応付けられる「一方コネクタの制御情報」欄のうち「１６〜１」欄には「０００８」という１６進数が示される。上述の説明から明らかな通り、予定情報においてこれに対応する欄の値は「０００１」である。「６６」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００３」である。「６７」という「電圧制御された電線にかかる識別情報」に対応付けられる「一方コネクタの制御情報」欄のうち「１６〜１」欄には「０００１」という１６進数が示される。上述の説明から明らかな通り、予定情報においてこれに対応する欄の値は「０００８」である。「６７」という「電圧制御された電線にかかる識別情報」に対応付けられる「他方コネクタの制御情報」欄のうち「８０〜６５」欄には「０００５」という１６進数が示される。上述の説明から明らかな通り、予定情報においてこれに対応する欄の値は「０００Ｃ」である。「６８」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００Ｃ」である。
【００９４】
対応情報が生成されると、一致判断部１２０は、ワイヤハーネス２０２の複数の電線２２０それぞれについて、次に述べられる２種類の電線２２０が一致するか否かを判断する。それら２種類の電線２２０は、対応情報により特定される電線２２０、および、予定情報により特定される電線２２０である（Ｓ２４０）。この場合、対応情報の内容と予定情報の内容との間には上述された相違点が存在する。その結果、それらの電線２２０が一致しないので（Ｓ２４０にてＮＯ）、一致判断部１２０は、対応情報により特定された電線２２０の中に予定情報により特定されるものではない電線２２０が存在するか否かを判断する（Ｓ２６０）。
【００９５】
この場合、一致判断部１２０は、対応情報と予定情報とのうちそれらの間において相違点が存在する部分の値を２進数に変換する。その２進数は、一方コネクタ２２２の端子または他方コネクタ２２４の端子の識別情報に対応する。これにより、その識別情報が付された端子に接続される電線２２０を特定できる。そのようにして特定された電線２２０は、対応情報により特定される電線２２０または予定情報により特定される電線２２０である。その結果、一致判断部１２０は、ある電線２２０への電力供給に応じて電圧の変動が生じた電線２２０とその電力供給に応じて電圧の変動が生じるべき電線２２０とを特定できる。それらの電線２２０が特定された後、一致判断部１２０は、予定情報にない電線２２０が存在するか否かを判断する。
【００９６】
この場合、そのような電線２２０が存在すると判断されるので（Ｓ２６０にてＹＥＳ）、一致判断部１２０は、予定情報により特定される電線２２０の中に対応情報により特定されたものではない電線２２０が存在するか否かを判断する（Ｓ２６２）。ある電線２２０への電力供給に応じて電圧の変動が生じた電線２２０とその電力供給に応じて電圧の変動が生じるべき電線２２０とは既に特定されている。一致判断部１２０は、それら電線２２０に基づいて、予定情報により特定される電線２２０の中に対応情報により特定されたものではない電線２２０が存在するか否かを判断する。
【００９７】
その結果、対応情報により特定されたものではない電線２２０が存在すると判断されるので（Ｓ２６２にてＹＥＳ）、誤接続情報生成部１４８は、誤接続が生じていることを示す異常有無情報を生成する（Ｓ２６４）。続いて、誤接続電線情報生成部１５０は、一致判断部１２０が特定したある電線２２０への電力供給に応じて電圧の変動が生じた電線２２０とその電力供給に応じて電圧の変動が生じるべき電線２２０とに基づいて、誤接続電線情報を生成する（Ｓ２６６）。
【００９８】
誤接続電線情報が生成されると、異常有無情報出力部１０６は、誤接続が生じていることおよび誤接続電線情報を異常有無情報として出力する（Ｓ２１２）。本実施形態の場合、誤接続電線情報のうち予定情報により特定される電線２２０であって対応情報により特定される電線２２０に一致しない電線２２０を示す情報は、次に述べられる情報を含む。それらの情報は、その電線２２０が接続されている端子の識別情報、および、その端子に接続されるはずの電線２２０が存在しないことを示す情報である。誤接続電線情報のうち対応情報により特定される電線２２０であって予定情報により特定される電線２２０に一致しない電線２２０を示す情報は、次に述べられる情報を含む。それらの情報は、その電線２２０が接続されている端子の識別情報、および、その端子に接続される電線２２０が存在することを示す情報である。
【００９９】
（ワイヤハーネスの電線に短絡がある場合）
図１１は、本実施形態にかかる短絡があるワイヤハーネス２０４を示す概念図である。このワイヤハーネス２０４において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０にも接続されている。この電線２２０には、一方コネクタ２２２の「２」という識別情報が付された端子に接続されている別の電線２２０という、本来接続されるべきでない電線２２０も接続されている。他の点については、このワイヤハーネス２０４は、図７に示されたワイヤハーネス２００と同一である。
【０１００】
上述の場合と同様に、Ｓ２００乃至Ｓ２０８の処理を経て、対応情報生成部１００は、対応情報を生成する（Ｓ２２０）。
【０１０１】
図１２は、このワイヤハーネス２０４について生成された対応情報の構造を示す概念図である。この対応情報においては、「１」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。「２」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００６」である。「２」という「電圧制御された電線にかかる識別情報」に対応付けられる「他方コネクタの制御情報」欄のうち「８０〜６５」欄には「０００３」という１６進数が示される。上述の説明から明らかな通り、予定情報においてこれに対応する欄の値は「００００」である。「３」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００６」である。「３」という「電圧制御された電線にかかる識別情報」に対応付けられる「他方コネクタの制御情報」欄のうち「８０〜６５」欄には「０００３」という１６進数が示される。上述の説明から明らかな通り、予定情報においてこれに対応する欄の値は「００００」である。「６５」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。「６６」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。
【０１０２】
対応情報が生成されると、Ｓ２４０およびＳ２６０の処理を経て、一致判断部１２０は、予定情報により特定される電線２２０の中に対応情報により特定されたものではない電線２２０が存在するか否かを判断する（Ｓ２６２）。この場合、対応情報により特定されたものではない電線２２０が存在しないと判断されるので（Ｓ２６２にてＮＯ）、短絡情報生成部１４０は、短絡が生じていることを示す異常有無情報を生成する（Ｓ２６８）。続いて、短絡電線情報生成部１４２は、短絡電線情報を生成する（Ｓ２７０）。
【０１０３】
短絡電線情報が生成されると、異常有無情報出力部１０６は、短絡が生じていることおよび短絡電線情報を異常有無情報として出力する（Ｓ２１２）。本実施形態の場合、短絡電線情報は、対応情報により特定される電線２２０であって予定情報により特定される電線２２０に一致しない電線２２０が接続されている端子の識別情報、および、その端子に接続される電線２２０が存在することを示す情報を含む。
【０１０４】
（ワイヤハーネスの電線に断線がある場合）
図１３は、本実施形態にかかる断線があるワイヤハーネス２０６を示す概念図である。このワイヤハーネス２０６において、一方コネクタ２２２の「１」という識別情報が付された端子に接続されている電線２２０は、どの端子にも接続されていない。他方コネクタ２２４の「６５」という識別情報が付された端子に接続されている電線２２０は、「６６」という識別情報が付された端子に接続されている別の電線２２０に接続されている。他方コネクタ２２４の「６５」という識別情報が付された端子に接続されている電線２２０は、一方コネクタ２２２の「１」という識別情報が付された端子に接続されている電線２２０に接続されるべきところ、この電線２２０に接続されていない。他の点については、このワイヤハーネス２０６は、図７に示されたワイヤハーネス２００と同一である。
【０１０５】
上述の場合と同様に、Ｓ２００乃至Ｓ２０８の処理を経て、対応情報生成部１００は、対応情報を生成する（Ｓ２２０）。
【０１０６】
図１４は、このワイヤハーネス２０２について生成された対応情報の構造を示す概念図である。この対応情報においては、「１」という「電圧制御された電線にかかる識別情報」に対応付けられる「他方コネクタの制御情報」欄のうち「８０〜６５」欄には「００００」という１６進数が示される。上述の説明から明らかな通り、予定情報においてこれに対応する欄の値は「０００３」である。「６５」という「電圧制御された電線にかかる識別情報」に対応付けられる「一方コネクタの制御情報」欄のうち「１６〜１」欄には「００００」という１６進数が示される。上述の説明から明らかな通り、予定情報においてこれに対応する欄の値は「０００３」である。「６６」という「電圧制御された電線にかかる識別情報」に対応付けられる「一方コネクタの制御情報」欄のうち「１６〜１」欄には「００００」という１６進数が示される。上述の説明から明らかな通り、予定情報においてこれに対応する欄の値は「０００１」である。
【０１０７】
対応情報が生成されると、Ｓ２４０の処理を経て、一致判断部１２０は、予定情報により特定されるものではない電線２２０が存在するか否かを判断する（Ｓ２６０）。この場合、そのような電線２２０が存在しないと判断されるので（Ｓ２６０にてＮＯ）、一致判断部１２０は、予定情報により特定される電線２２０の中に対応情報により特定されたものではない電線２２０が存在するか否かを判断する（Ｓ２７２）。この場合、対応情報により特定されたものではない電線２２０が存在すると判断されるので（Ｓ２７２にてＹＥＳ）、断線情報生成部１４４は、断線が生じていることを示す異常有無情報を生成する（Ｓ２７４）。続いて、断線電線情報生成部１４６は、断線電線情報を生成する（Ｓ２７６）。
【０１０８】
断線電線情報が生成されると、異常有無情報出力部１０６は、断線が生じていることおよび断線電線情報を異常有無情報として出力する（Ｓ２１２）。本実施形態の場合、断線電線情報は、次に述べられる情報を含む。それらの情報は、予定情報により特定される電線２２０であって対応情報により特定される電線２２０に一致しない電線２２０が接続されている端子の識別情報、および、その端子に接続されるはずの電線２２０が存在しないことを示す情報である。
【０１０９】
［効果の説明］
本実施形態にかかる電線検査装置２０によれば、ワイヤハーネス２００においてある電線２２０が予め定められた通りに導通しているか否かを判断できる。
【０１１０】
また、本実施形態にかかる電線検査装置２０によれば、ワイヤハーネス２００の電線２２０における断線と短絡と誤接続とを検知できる。しかも、電線２２０のうち断線と短絡と誤接続とのうちいずれかが生じている電線２２０を検知できる。
【０１１１】
［変形例の説明］
今回開示された実施形態はすべての点で例示である。本発明の範囲は上述した実施形態に基づいて制限されるものではない。もちろん、本発明の趣旨を逸脱しない範囲で種々の設計変更をしてもよい。
【０１１２】
例えば、異常種類情報生成部１２４の構成は上述したものに限定されない。異常種類情報生成部１２４は、短絡電線情報生成部１４２と、断線電線情報生成部１４６と、誤接続電線情報生成部１５０とを有していなくてもよい。異常種類情報生成部１２４は、短絡情報生成部１４０と、断線情報生成部１４４と、誤接続情報生成部１４８とを有していなくてもよい。異常判断部１０４の構成も、上述したものに限定されない。
【０１１３】
また、本発明にかかる電線測定部は、複数の電線２２０のいずれかにおける電流の変化を測定するものであってもよい。
【符号の説明】
【０１１４】
２０…電線検査装置
３０…電線測定部
３６…検査結果出力部
４０…電源部
４２…一方側電線接続部
４４…他方側電線接続部
５０…制御部
５２…記憶部
５４…入力装置
５６…表示装置
５８…一方側Ｉ／Ｏ
６０…他方側Ｉ／Ｏ
６２…電源Ｉ／Ｏ
７０…一端コネクタ
７２…一方側出力回路
７４…一方側入力回路
７６…他端コネクタ
７８…他端側出力回路
８０…他端側入力回路
１００…対応情報生成部
１０２…予定情報記憶部
１０４…異常判断部
１０６…異常有無情報出力部
１２０…一致判断部
１２２…無異常情報生成部
１２４…異常種類情報生成部
１４０…短絡情報生成部
１４２…短絡電線情報生成部
１４４…断線情報生成部
１４６…断線電線情報生成部
１４８…誤接続情報生成部
１５０…誤接続電線情報生成部
２００，２０２，２０４，２０６…ワイヤハーネス
２２０…電線
２２２…一方コネクタ
２２４…他方コネクタ
【図１】
2020109373.tif 000003
【図２】
2020109373.tif 000004
【図３】
2020109373.tif 000005
【図４】
2020109373.tif 000006
【図５】
2020109373.tif 000007
【図６】
2020109373.tif 000008
【図７】
2020109373.tif 000009
【図８】
2020109373.tif 000010
【図９】
2020109373.tif 000011
【図１０】
2020109373.tif 000012
【図１１】
2020109373.tif 000013
【図１２】
2020109373.tif 000014
【図１３】
2020109373.tif 000015
【図１４】
2020109373.tif 000016
【手続補正書】
【提出日】令和1年7月16日(2019.7.16)
【手続補正１】
【補正対象書類名】明細書
【補正対象項目名】全文
【補正方法】変更
【補正の内容】
【発明の詳細な説明】
【技術分野】
【０００１】
本発明は、電線検査装置に関する。
【背景技術】
【０００２】
特許文献１は電線検査装置を開示する。この電線検査装置は、電力供給端子の対と、電源部と、電力制御部と、測定部と、出力部とを備える。電力供給端子の対は、検査の対象である電線に対する検査の開始前にその電線に接続される。電力供給端子の対は、検査の対象である電線から検査の終了後に取り外される。電源部は、電力供給端子の対を介して電線に電力を供給する。電力制御部は、電力供給端子の対から電線に供給される電力の大きさを制御する。測定部は、電力供給端子の対に接続される。測定部は、電線にかかった電圧および電線に流れた電流の少なくとも一方を測定する。出力部は、測定部が測定した電圧および電流の少なくとも一方に応じて電線に対するノイズの侵入の有無の検査結果を出力する。電力制御部が、電線にかかる電圧および電線に流れる電流の少なくとも一方を所定の期間内に所定回変動させる。出力部が、変動回数を計数する。変動回数は、電線にかかった電圧および電線に流れた電流のうち電力制御部が変動させたものが所定の期間内に変動した回数である。出力部が、変動回数が所定の回数と異なったか否かに応じてノイズの侵入の有無の検査結果を出力する。
【０００３】
特許文献１に開示されている電線検査装置によれば、電線が外部からのノイズの侵入に耐え得るか否かを検出できる。
【先行技術文献】
【特許文献】
【０００４】
【特許文献１】特許第６２４０８０２号公報
【発明の概要】
【発明が解決しようとする課題】
【０００５】
しかしながら、特許文献１に開示された電線検査装置には、複数の電線を備える電線束においてある電線が予め定められた通りに導通していない場合、そもそもノイズの侵入に耐え得るか否かを判断できないという問題点がある。
【０００６】
本発明は、このような問題を解消するものである。その目的は、複数の電線を備える電線束においてある電線が予め定められた通りに導通しているか否かを判断できる電線検査装置を提供することにある。
【課題を解決するための手段】
【０００７】
図面を参照して本発明の電線検査装置を説明する。なお、この欄で図中の符号を使用したのは、発明の内容の理解を助けるためであって、内容を図示した範囲に限定する意図ではない。
【０００８】
上記課題を解決するために、本発明のある局面に従うと、電線検査装置２０は、電線測定部３０と、検査結果出力部３６とを備える。電線測定部３０は、検査の対象である電線束２００，２０２，２０４，２０６の少なくとも一部を構成する複数の電線２２０それぞれの一端と他端とに接続される。電線測定部３０は、複数の電線２２０のいずれかに電力を供給する。電線測定部３０は、電力の供給の際の複数の電線２２０のうち少なくとも２本における電圧および電流の少なくとも一方を測定する。検査結果出力部３６は、電線測定部３０が測定した電圧および電流の少なくとも一方に基づいて複数の電線２２０それぞれにおける通電機能の検査結果を出力する。検査結果出力部３６が、対応情報生成部１００と、予定情報記憶部１０２と、異常判断部１０４と、異常有無情報出力部１０６とを有している。対応情報生成部１００は、対応情報を生成する。対応情報は、次に述べられる対応関係を示す。その対応関係は、電線測定部３０が電力を供給した電線２２０と電線２２０への電力の供給に応じて電圧および電流の少なくとも一方の変動が生じた電線２２０との関係である。予定情報記憶部１０２は、予定情報を予め記憶する。予定情報は、複数の電線２２０それぞれについて電線２２０への電力の供給に応じて電圧および電流の少なくとも一方の変動が生じるべき電線２２０を示す。異常判断部１０４は、対応情報により特定される電線２２０と予定情報により特定される電線２２０との相違の有無に応じて、異常の有無を判断する。異常有無情報出力部１０６は、異常有無情報を出力する。異常有無情報は、異常の有無を示す。
【０００９】
対応情報生成部１００は、対応情報を生成する。予定情報記憶部１０２は、予定情報を予め記憶する。異常判断部１０４は、対応情報により特定される電線２２０と予定情報により特定される電線２２０との相違の有無に応じて、異常の有無を判断する。これにより、電線２２０への電力の供給に応じて電圧および電流の少なくとも一方の変動が生じるべき電線２２０においてその変動が生じたか否かを判断できる。その結果、複数の電線２２０を備える電線束２００，２０２，２０４，２０６においてある電線が予め定められた通りに導通しているか否かを判断できる。
【００１０】
また、上述された異常判断部１０４が、一致判断部１２０と、無異常情報生成部１２２と、異常種類情報生成部１２４とを有している。一致判断部１２０は、複数の電線２２０それぞれについて、対応情報により特定される電線２２０と予定情報により特定される電線２２０とが一致するか否かを判断する。無異常情報生成部１２２は、電線測定部３０が電力を供給した電線２２０のすべてについて対応情報により特定される電線２２０と予定情報により特定される電線２２０とが一致する場合、異常がないことを示す異常有無情報を生成する。異常種類情報生成部１２４は、次に述べられる場合、異常の種類を示す異常有無情報を生成する。その場合とは、電線測定部３０が電力を供給した電線２２０のいずれかについて対応情報により特定される電線２２０と予定情報により特定される電線２２０とが相違する場合である。異常の種類を示す異常有無情報は、対応情報により特定される電線２２０と予定情報により特定される電線２２０との相違内容に応じて生成される。この場合、異常有無情報出力部１０６が、異常判断部１０４が生成した異常有無情報を出力する。
【００１１】
対応情報により特定される電線２２０と予定情報により特定される電線２２０との相違内容は、電線２２０における異常の種類と関連性を有している。異常の種類を示す異常有無情報は、その相違内容に応じて生成される。異常有無情報出力部１０６が、異常判断部１０４が生成した異常有無情報を出力する。これにより、電線２２０における異常の種類を示唆する異常有無情報が出力されることとなる。
【００１２】
【００１３】
【００１４】
上述された異常種類情報生成部１２４が、短絡電線情報生成部１４２と、断線電線情報生成部１４６と、誤接続電線情報生成部１５０とを有している。短絡電線情報生成部１４２は、電線測定部３０が電力を供給した電線２２０のうち電線測定部３０に加え別の電線２２０にも接続されるもののいずれかについて次に述べられる２種類の要件が満たされると、短絡電線情報を生成する。それらの要件の１種類目は、対応情報により特定される電線２２０のうち予定情報により特定される電線２２０に一致しない電線２２０が存在するという要件である。それらの要件の２種類目は、予定情報により特定される電線２２０のうち対応情報により特定される電線２２０に一致しない電線２２０が存在しないという要件である。短絡電線情報は、上述された対応情報により特定される電線２２０のうち予定情報により特定される電線２２０に一致しない電線２２０を示す。断線電線情報生成部１４６は、電線測定部３０が電力を供給した電線２２０のいずれかについて次に述べられる２種類の要件が満たされると、断線電線情報を生成する。それらの要件の１種類目は、予定情報により特定される電線２２０のうち対応情報により特定される電線２２０に一致しない電線２２０が存在するという要件である。それらの要件の２種類目は、対応情報により特定される電線２２０のうち予定情報により特定される電線２２０に一致しない電線２２０が存在しないという要件である。断線電線情報は、上述された予定情報により特定される電線２２０のうち対応情報により特定される電線２２０に一致しない電線２２０を示す。誤接続電線情報生成部１５０は、電線測定部３０が電力を供給した電線２２０のうち電線測定部３０に加え別の電線２２０にも接続されるもののいずれかについて次に述べられる２種類の電線２２０が共に存在するという要件が満たされると、誤接続電線情報を生成する。１種類目の電線２２０は、対応情報により特定される電線２２０のうち予定情報により特定される電線２２０に一致しない電線２２０である。２種類目の電線２２０は、予定情報により特定される電線２２０のうち対応情報により特定される電線２２０に一致しない電線２２０である。誤接続電線情報は、次に述べられる２種類の電線２２０を示す。１種類目の電線２２０は、上述された予定情報により特定される電線２２０のうち対応情報により特定される電線２２０に一致しない電線２２０である。２種類目の電線２２０は、上述された対応情報により特定される電線２２０のうち予定情報により特定される電線２２０に一致しない電線２２０である。
【００１５】
要件が満たされる場合、異常種類情報生成部１２４は、短絡電線情報と断線電線情報と誤接続電線情報とのうちいずれかを生成する。これにより、異常有無情報出力部１０６は、短絡電線情報と断線電線情報と誤接続電線情報とのうちいずれかを異常有無情報として出力することとなる。その結果、電線２２０のうち断線と短絡と誤接続とのうちいずれかが生じている電線２２０を検知できる。
【００１６】
【００１７】
【発明の効果】
【００１８】
本発明によれば、複数の電線を備える電線束においてある電線が予め定められた通りに導通しているか否かを判断できる。
【図面の簡単な説明】
【００１９】
【図１】本発明の一実施形態にかかる電線検査装置の構成を表す図である。
【図２】本発明の一実施形態にかかる一方側電線接続部および他方側電線接続部の構成を示す図である。
【図３】本発明の一実施形態にかかる検査結果出力部の機能ブロック図である。
【図４】本発明の一実施形態にかかる電線検査方法の制御の手順を示すフローチャートである。
【図５】本発明の一実施形態にかかる結果出力工程の制御の手順を示すフローチャートである。
【図６】本発明の一実施形態にかかる異常種類情報生成工程の制御の手順を示すフローチャートである。
【図７】本発明の一実施形態にかかる正しく接続されたワイヤハーネスを示す概念図である。
【図８】本発明の一実施形態にかかる正しく接続されたワイヤハーネスについて生成された対応情報の構造を示す概念図である。
【図９】本発明の一実施形態にかかる誤接続があるワイヤハーネスを示す概念図である。
【図１０】本発明の一実施形態にかかる誤接続があるワイヤハーネスについて生成された対応情報の構造を示す概念図である。
【図１１】本発明の一実施形態にかかる短絡があるワイヤハーネスを示す概念図である。
【図１２】本発明の一実施形態にかかる短絡があるワイヤハーネスについて生成された対応情報の構造を示す概念図である。
【図１３】本発明の一実施形態にかかる断線があるワイヤハーネスを示す概念図である。
【図１４】本発明の一実施形態にかかる断線があるワイヤハーネスについて生成された対応情報の構造を示す概念図である。
【発明を実施するための形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
［電線検査装置の構成の説明］
以下、本発明の一実施形態について説明する。図１は、本実施形態にかかる電線検査装置２０の構成を表す図である。図１に基づいて、本実施形態にかかる電線検査装置２０の構成が説明される。ワイヤハーネス２００が、本実施形態における電線束である。本実施形態においては、ワイヤハーネス２００が検査の対象となる。ワイヤハーネス２００は、複数の電線２２０によって構成される。
【００２２】
本実施形態にかかる電線検査装置２０は、電線測定部３０と、検査結果出力部３６とを備える。
【００２３】
本実施形態にかかる電線測定部３０は、ワイヤハーネス２００を構成する複数の電線２２０に接続される。本実施形態にかかる電線測定部３０は、電源部４０と、一方側電線接続部４２と、他方側電線接続部４４とを有する。
【００２４】
電源部４０は、一方側電線接続部４２および他方側電線接続部４４を介してワイヤハーネス２００を構成する複数の電線２２０それぞれに電力を供給する。ただし、本実施形態の場合、その電力の電流値はごくわずかである。電流値がごくわずかなのは、本実施形態の場合、電圧の大きさに基づいて信号が識別されるためである。
【００２５】
一方側電線接続部４２は、ワイヤハーネス２００に接続される。これにより、ワイヤハーネス２００を構成する複数の電線２２０それぞれに一方側電線接続部４２が接続されることとなる。一方側電線接続部４２は、ワイヤハーネス２００を構成する複数の電線２２０それぞれに供給される電力の大きさを制御する。本実施形態の場合、一方側電線接続部４２は、その電力のうち電圧の大きさを制御することにより、電力の大きさを制御する。一方側電線接続部４２は、検査結果出力部３６の制御に応じて電圧の大きさを制御する。また、一方側電線接続部４２は、ワイヤハーネス２００を構成する複数の電線２２０それぞれにおける電圧を測定する。一方側電線接続部４２は、測定結果を示す情報を検査結果出力部３６に出力する。
【００２６】
他方側電線接続部４４は、ワイヤハーネス２００に接続される。これにより、ワイヤハーネス２００を構成する複数の電線２２０それぞれに他方側電線接続部４４が接続されることとなる。他方側電線接続部４４は、ワイヤハーネス２００を構成する複数の電線２２０それぞれに供給される電力の大きさを制御する。本実施形態の場合、他方側電線接続部４４は、その電力のうち電圧の大きさを制御することにより、電力の大きさを制御する。他方側電線接続部４４は、検査結果出力部３６の制御に応じて電圧の大きさを制御する。また、他方側電線接続部４４は、ワイヤハーネス２００を構成する複数の電線２２０それぞれにおける電圧を測定する。他方側電線接続部４４は、測定結果を示す情報を検査結果出力部３６に出力する。
【００２７】
検査結果出力部３６は、一方側電線接続部４２および他方側電線接続部４４を制御する。検査結果出力部３６は、一方側電線接続部４２および他方側電線接続部４４から測定結果を示す情報を受付ける。検査結果出力部３６は、その測定結果が示す電圧に基づいてワイヤハーネス２００を構成する複数の電線２２０それぞれにおける通電機能の検査結果を示す情報を出力する。
【００２８】
本実施形態の場合、検査結果出力部３６は、周知のコンピュータによって実現される。このコンピュータは、制御部５０と 、記憶部５２と、入力装置５４と、表示装置５６と、一方側Ｉ／Ｏ（Input/Output）５８と、他方側Ｉ／Ｏ６０と、電源Ｉ／Ｏ６２とを有する。制御部５０は、ＣＰＵ（Central Processing Unit）などによって実現される。制御部５０は、記憶部５２から読出したプログラムを実行することにより、そのプログラムにおいて定められた手順に従ってコンピュータを構成する各装置を制御する。記憶部５２は、ＲＯＭ（Read only memory）およびＲＡＭ（Random access memory）などによって実現される。記憶部５２は、プログラムとデータとを記憶する。入力装置５４は、検査者の入力に応じて信号を生成する。これにより、コンピュータに情報が入力される。表示装置５６は、画像を表示することにより情報を出力する。一方側Ｉ／Ｏ５８は、一方側電線接続部４２に接続される。一方側Ｉ／Ｏ５８は、一方側電線接続部４２に対して制御のための信号を出力する。一方側Ｉ／Ｏ５８は、一方側電線接続部４２が出力した測定結果を示す情報を受付ける。他方側Ｉ／Ｏ６０は、他方側電線接続部４４に接続される。他方側Ｉ／Ｏ６０は、他方側電線接続部４４に対して制御のための信号を出力する。他方側Ｉ／Ｏ６０は、他方側電線接続部４４が出力した測定結果を示す情報を受付ける。電源Ｉ／Ｏ６２は、電源部４０に接続される。電源Ｉ／Ｏ６２は、電源部４０に対して制御のための信号を出力する。
【００２９】
図２は、本実施形態にかかる一方側電線接続部４２および他方側電線接続部４４の構成を示す図である。図２に基づいて、本実施形態にかかる一方側電線接続部４２および他方側電線接続部４４の構成が説明される。
【００３０】
本実施形態の場合、一方側電線接続部４２は、一端コネクタ７０と、一方側出力回路７２と、一方側入力回路７４とを有する。一端コネクタ７０にはワイヤハーネス２００が接続される。一方側出力回路７２は、一端コネクタ７０に接続される。一方側出力回路７２を通じて電力は電源部４０から一端コネクタ７０へ供給される。電力は一端コネクタ７０を通じてワイヤハーネス２００の電線２２０へ供給され得る。一方側入力回路７４は、一端コネクタ７０と並列に一方側出力回路７２に接続される。一方側入力回路７４は接地されている。一方側入力回路７４は、一方側出力回路７２を通じて供給される電力における対地電圧を測定する。
【００３１】
本実施形態の場合、一端コネクタ７０は、６４個の端子を有する。それらの端子には、識別情報が付されている。それらの識別情報によって各端子は識別される。本実施形態の場合、その識別情報は数値からなる。本実施形態の場合、一端コネクタ７０の各端子には、「１」乃至「６４」のいずれかの数値が識別情報として付されている。
【００３２】
本実施形態の場合、一方側出力回路７２と一方側入力回路７４とは、一端コネクタ７０に接続されるための図示されない端子を有する。本実施形態の場合、それらの端子には、識別情報が付されている。それらの識別情報によって各端子は識別される。本実施形態の場合、その識別情報は、一方側出力回路７２の端子なのか一方側入力回路７４の端子なのかを示す部分と、数値部分とを有する。本実施形態の場合、その識別情報のうち一方側出力回路７２の端子なのか一方側入力回路７４の端子なのかを示す部分が「ＤＯ」であれば、その識別情報が付されている端子は一方側出力回路７２の端子である。その識別情報のうち一方側出力回路７２の端子なのか一方側入力回路７４の端子なのかを示す部分が「ＤＩ」であれば、その識別情報が付されている端子は一方側入力回路７４の端子である。一方側出力回路７２の端子の間では、識別情報のうち数値部分は互いに異なる。一方側入力回路７４の端子の間でも、識別情報のうち数値部分は互いに異なる。これにより、検査結果出力部３６は、一方側出力回路７２の端子と一方側入力回路７４の端子との中から任意の端子を特定できる。本実施形態の場合、一方側出力回路７２が有する各端子は、それらに付された識別情報のうち数値部分が同一の識別情報が付された一方側入力回路７４の端子に接続されている。一方側出力回路７２が有する各端子と一方側入力回路７４の各端子とは、それらの識別情報のうち数値部分の値と同じ数値が識別情報として付された一端コネクタ７０の端子に接続されている。
【００３３】
本実施形態の場合、他方側電線接続部４４は、他端コネクタ７６と、他端側出力回路７８と、他端側入力回路８０とを有する。他端コネクタ７６にもワイヤハーネス２００が接続される。他端側出力回路７８は、他端コネクタ７６に接続される。他端側出力回路７８を通じて電力は電源部４０から他端コネクタ７６へ供給される。電力は他端コネクタ７６を通じてワイヤハーネス２００の電線２２０へ供給され得る。他端側入力回路８０は、他端コネクタ７６と並列に他端側出力回路７８に接続される。他端側入力回路８０は接地されている。他端側入力回路８０は、他端側出力回路７８を通じて供給される電力における対地電圧を測定する。
【００３４】
本実施形態の場合、他端コネクタ７６は、一端コネクタ７０と同様に、６４個の端子を有する。それらの端子にも、識別情報が付されている。それらの識別情報によって各端子は識別される。本実施形態の場合、その識別情報も数値からなる。本実施形態の場合、他端コネクタ７６の各端子には、「６５」乃至「１２８」のいずれかの数値が識別情報として付されている。これにより、一端コネクタ７０が有する端子と他端コネクタ７６が有する端子とは、識別情報によって一意に特定され得る。
【００３５】
本実施形態の場合、一方側出力回路７２および一方側入力回路７４の場合と同様に、他端側出力回路７８と他端側入力回路８０とは、他端コネクタ７６に接続されるための図示されない端子を有する。本実施形態の場合、それらの端子にも、識別情報が付されている。それらの識別情報によって各端子は識別される。本実施形態の場合、その識別情報は、他端側出力回路７８の端子なのか他端側入力回路８０の端子なのかを示す部分と、数値部分とを有する。本実施形態の場合、その識別情報のうち他端側出力回路７８の端子なのか他端側入力回路８０の端子なのかを示す部分が「ＤＯ」であれば、その識別情報が付されている端子は他端側出力回路７８の端子である。その識別情報のうち他端側出力回路７８の端子なのか他端側入力回路８０の端子なのかを示す部分が「ＤＩ」であれば、その識別情報が付されている端子は他端側入力回路８０の端子である。他端側出力回路７８の端子の間では、識別情報のうち数値部分は互いに異なる。他端側入力回路８０の端子の間でも、識別情報のうち数値部分は互いに異なる。これにより、検査結果出力部３６は、他端側出力回路７８の端子と他端側入力回路８０の端子との中から任意の端子を特定できる。本実施形態の場合、他端側出力回路７８が有する各端子は、それらに付された識別情報のうち数値部分が同一の識別情報が付された他端側入力回路８０の端子に接続されている。他端側出力回路７８が有する各端子と他端側入力回路８０の各端子とは、それらの識別情報のうち数値部分の値と同じ数値が識別情報として付された他端コネクタ７６の端子に接続されている。
【００３６】
［検査結果出力部の機能の説明］
図３は、検査結果出力部３６の機能ブロック図である。図３に基づいて、本実施形態にかかる検査結果出力部３６の構成とその機能とが説明される。上述されたコンピュータの、制御部５０と、記憶部５２と、入力装置５４と、表示装置５６と、一方側Ｉ／Ｏ５８と、他方側Ｉ／Ｏ６０と、電源Ｉ／Ｏ６２とは、電線検査装置２０の検査結果出力部３６を構成する。
【００３７】
検査結果出力部３６は、対応情報生成部１００と、予定情報記憶部１０２と、異常判断部１０４と、異常有無情報出力部１０６とを有している。
【００３８】
対応情報生成部１００は、電線測定部３０を制御する。対応情報生成部１００は、電線測定部３０が出力した情報を受付ける。対応情報生成部１００は、対応情報を生成する。対応情報は、次に述べられる対応関係を示す。その対応関係は、電線測定部３０が電力を供給した電線２２０とその電線２２０への電力の供給に応じて電圧の変動が生じた電線２２０との関係である。本実施形態における対応情報の具体的な構成は後述される。
【００３９】
予定情報記憶部１０２は、予定情報を予め記憶する。予定情報は、ワイヤハーネス２００の複数の電線２２０それぞれについて電線２２０への電力の供給に応じて電圧の変動が生じるべき電線２２０を示す。本実施形態の場合、予定情報の具体的な構成は対応情報の構成と同一である。予定情報と対応情報との相違点は、前者が電圧の変動が生じるべき電線２２０を示すのに対して後者が電圧の変動が生じた電線２２０を示すという点で異なる。
【００４０】
異常判断部１０４は、対応情報により特定される電線２２０と予定情報により特定される電線２２０との相違の有無に応じて、異常の有無を判断する。
【００４１】
異常有無情報出力部１０６は、異常有無情報を出力する。異常有無情報は、異常の有無を示す。
【００４２】
本実施形態の場合、異常判断部１０４は、一致判断部１２０と、無異常情報生成部１２２と、異常種類情報生成部１２４とを有している。
【００４３】
一致判断部１２０は、ワイヤハーネス２００の複数の電線２２０それぞれについて、対応情報により特定される電線２２０と予定情報により特定される電線２２０とが一致するか否かを判断する。
【００４４】
無異常情報生成部１２２は、次に述べられる場合、異常がないことを示す異常有無情報を生成する。その場合とは、ワイヤハーネス２００のうち電源部４０が電力を供給した電線２２０のすべてについて、対応情報により特定される電線２２０と予定情報により特定される電線２２０とが一致する場合である。
【００４５】
異常種類情報生成部１２４は、次に述べられる場合、異常の種類を示す異常有無情報を生成する。その場合とは、ワイヤハーネス２００のうち電源部４０が電力を供給した電線２２０のいずれかについて対応情報により特定される電線２２０と予定情報により特定される電線２２０とが相違する場合である。異常の種類を示す異常有無情報は、対応情報により特定される電線２２０と予定情報により特定される電線２２０との相違内容に応じて生成される。なお、本実施形態の場合、上述された異常有無情報出力部１０６は、異常判断部１０４が生成した異常有無情報を出力する。
【００４６】
本実施形態の場合、異常種類情報生成部１２４は、短絡情報生成部１４０と、短絡電線情報生成部１４２と、断線情報生成部１４４と、断線電線情報生成部１４６と、誤接続情報生成部１４８と、誤接続電線情報生成部１５０とを有している。
【００４７】
短絡情報生成部１４０は、ワイヤハーネス２００のうち電源部４０が電力を供給した電線２２０のいずれかについて次に述べられる２種類の要件が満たされると、短絡が生じていることを示す異常有無情報を生成する。それらの要件の１種類目は、対応情報により特定される電線２２０のうち予定情報により特定される電線２２０に一致しない電線２２０が存在するという要件である。それらの要件の２種類目は、予定情報により特定される電線２２０のうち対応情報により特定される電線２２０に一致しない電線２２０が存在しないという要件である。
【００４８】
短絡電線情報生成部１４２は、ワイヤハーネス２００のうち電源部４０が電力を供給した電線２２０のいずれかについて短絡情報生成部１４０のものと同じ２種類の要件が満たされると、短絡電線情報を生成する。短絡電線情報は、上述された対応情報により特定される電線２２０のうち予定情報により特定される電線２２０に一致しない電線２２０を示す。
【００４９】
断線情報生成部１４４は、ワイヤハーネス２００のうち電源部４０が電力を供給した電線２２０のいずれかについて次に述べられる２種類の要件が満たされると、断線が生じていることを示す異常有無情報を生成する。それらの要件の１種類目は、予定情報により特定される電線２２０のうち対応情報により特定される電線２２０に一致しない電線２２０が存在するという要件である。それらの要件の２種類目は、対応情報により特定される電線２２０のうち予定情報により特定される電線２２０に一致しない電線２２０が存在しないという要件である。
【００５０】
断線電線情報生成部１４６は、ワイヤハーネス２００のうち電源部４０が電力を供給した電線２２０のいずれかについて断線情報生成部１４４のものと同じ２種類の要件が満たされると、断線電線情報を生成する。断線電線情報は、上述された予定情報により特定される電線２２０のうち対応情報により特定される電線２２０に一致しない電線２２０を示す。
【００５１】
誤接続情報生成部１４８は、ワイヤハーネス２００のうち電源部４０が電力を供給した電線２２０のいずれかについて次に述べられる２種類の電線２２０が共に存在するという要件が満たされると、誤接続が生じていることを示す異常有無情報を生成する。１種類目の電線２２０は、対応情報により特定される電線２２０のうち予定情報により特定される電線２２０に一致しない電線２２０である。２種類目の電線２２０は、予定情報により特定される電線２２０のうち対応情報により特定される電線２２０に一致しない電線２２０である。
【００５２】
誤接続電線情報生成部１５０は、ワイヤハーネス２００のうち電源部４０が電力を供給した電線２２０のいずれかについて誤接続情報生成部１４８のものと同じ要件が満たされると、誤接続電線情報を生成する。誤接続電線情報は、次に述べられる２種類の電線２２０を示す。１種類目の電線２２０は、上述された予定情報により特定される電線２２０のうち対応情報により特定される電線２２０に一致しない電線２２０である。２種類目の電線２２０は、上述された対応情報により特定される電線２２０のうち予定情報により特定される電線２２０に一致しない電線２２０である。
【００５３】
［フローチャートの説明］
図４は、本実施形態にかかる電線検査方法の制御の手順を示すフローチャートである。図４に示されるように、このプログラムは、次に述べられる複数の工程を上述されたコンピュータに実行させるものである。それら複数の工程は、自己検査工程Ｓ２００、端子接続工程Ｓ２０２、電力供給工程Ｓ２０４、電線測定工程Ｓ２０６、測定完了判断工程Ｓ２０８、機能判断工程Ｓ２１０、および、検査結果出力工程Ｓ２１２である。プログラムを実行した結果、コンピュータは、それら複数の工程を備える電線検査方法を実施することとなる。以下、これらの各工程の具体的な内容が説明される。
【００５４】
自己検査工程Ｓ２００において、本実施形態にかかる電線検査装置２０の対応情報生成部１００は、電源部４０に一方側出力回路７２および他端側出力回路７８へ電力を供給させる。電源部４０による電力供給開始と同時に、対応情報生成部１００は、その電力における対地電圧の大きさを一方側出力回路７２および他端側出力回路７８に制御させる。一方側入力回路７４と他端側入力回路８０とは、各々の端子の対地電圧を測定する。一方側入力回路７４と他端側入力回路８０とは、自らが測定した対地電圧に基づいて、各々の端子の対地電圧が「０」か否かを示す情報を対応情報生成部１００に出力する。一方側電線接続部４２と他方側電線接続部４４とにおいて断線がなければ、すべての端子の対地電圧は一方側出力回路７２および他端側出力回路７８に制御された大きさとなる。すなわちその対地電圧は「０」ではない。いずれかの端子の対地電圧が一方側出力回路７２および他端側出力回路７８に制御された大きさと異なれば、対応情報生成部１００は、本実施形態にかかる電線検査方法の実施を中止する。すべての端子の対地電圧が一方側出力回路７２および他端側出力回路７８に制御された大きさと等しければ、対応情報生成部１００は、本実施形態にかかる電線検査方法の実施を続行する。これにより、電線検査装置２０は自らの一方側電線接続部４２および他方側電線接続部４４における断線の有無を検査することとなる。
【００５５】
端子接続工程Ｓ２０２において、検査者は、ワイヤハーネス２００の各電線２２０を一方側電線接続部４２と他方側電線接続部４４とに接続する。ワイヤハーネス２００の各電線２２０が一方側電線接続部４２と他方側電線接続部４４とに接続されると、対応情報生成部１００は、検査者からの検査開始の指示を待つ。検査者が検査開始の指示を検査結果出力部３６に入力すると、対応情報生成部１００は、所定の変数の値を「０」に設定する。本実施形態においては、この変数は「カウンタ」と称される。
【００５６】
電力供給工程Ｓ２０４において、対応情報生成部１００は、カウンタの値を「１」増加させる。次に、対応情報生成部１００は、電源部４０にワイヤハーネス２００の電線２２０へ電力を供給させる。電源部４０による電力供給開始と同時に、対応情報生成部１００は、次に述べられる電圧の大きさを一方側電線接続部４２と他方側電線接続部４４とのうち一方に制御させる。その電圧は、ワイヤハーネス２００の複数の電線２２０のうち次に述べられているものに供給される電力の電圧である。その電線２２０は、次に述べられている端子に接続されているものである。その端子は、一方コネクタ２２２が有する端子と他方コネクタ２２４が有する端子とのうち、これに付されている識別情報がカウンタの値に一致するものである。これにより、その電線２２０における対地電圧は他の電線２２０における対地電圧よりも高くなる。本実施形態においては、ある電線２２０における対地電圧が所定の電圧値よりも高くなっているとき、その電線２２０にかかる電圧が「Ｈｉｇｈ状態」であるとみなされる。ある電線２２０における対地電圧が所定の電圧値以下のとき、その電線２２０にかかる電圧が「Ｌｏｗ状態」であるとみなされる。
【００５７】
電線測定工程Ｓ２０６において、対応情報生成部１００は、一方側電線接続部４２の一方側入力回路７４と他方側電線接続部４４の他端側入力回路８０とに対して信号を出力する。一方側入力回路７４と他端側入力回路８０とは、その信号を受付けると、ワイヤハーネス２００の各電線２２０における電圧を測定する。一方側入力回路７４と他端側入力回路８０とは、自らが測定した電圧に基づいて、ワイヤハーネス２００の各電線２２０における電圧が「Ｈｉｇｈ状態」か「Ｌｏｗ状態」かを示す情報を対応情報生成部１００に出力する。対応情報生成部１００は、ワイヤハーネス２００の電線２２０への電力供給の際のワイヤハーネス２００の各電線２２０の電圧の状態を示す情報とカウンタの値とを対応付けて記憶する。
【００５８】
測定完了判断工程Ｓ２０８において、対応情報生成部１００は、ワイヤハーネス２００のすべての電線２２０につきこれに供給される電圧の制御が行われたか否かを判断する。本実施形態の場合、この判断は、対応情報生成部１００が予め記憶した値とカウンタの値とが一致するか否かに基づいて判断される。本実施形態においては、対応情報生成部１００が予め記憶した値は、一端コネクタ７０が有する端子の数と他端コネクタ７６が有する端子の数との和に等しい。すなわち、対応情報生成部１００が予め記憶した値は「１２８」である。対応情報生成部１００が予め記憶した値とカウンタの値とが一致すると、ワイヤハーネス２００のすべての電線２２０につきこれに供給される電圧の制御が行われたと判断される。すべての電線２２０につき電圧の制御が行われたと判断された場合（Ｓ２０８にてＹＥＳ）、処理はＳ２１０へと移される。そうでない場合（Ｓ２０８にてＮＯ）、処理はＳ２０４へと移される。
【００５９】
機能判断工程Ｓ２１０において、検査結果出力部３６は、ワイヤハーネス２００の各電線２２０における電圧が「Ｈｉｇｈ状態」か「Ｌｏｗ状態」かを示す情報に基づいて、複数の電線２２０それぞれにおける通電機能を判断する。これにより、電線測定工程Ｓ２０６において測定された電圧に基づいて複数の電線２２０それぞれにおける通電機能が判断されることとなる。
【００６０】
検査結果出力工程Ｓ２１２において、異常有無情報出力部１０６は、機能判断工程Ｓ２１０における判断の結果を示す情報を出力する。本実施形態において、その情報は、異常有無情報を含む。異常有無情報は、異常の有無を示す。
【００６１】
図５は、本実施形態にかかる機能判断工程Ｓ２１０の制御の手順を示すフローチャートである。図５に基づいて、本実施形態にかかる機能判断工程Ｓ２１０の制御の手順が説明される。本実施形態の場合、機能判断工程Ｓ２１０は、対応情報生成工程Ｓ２２０と、異常判断工程Ｓ２２２とを有している。
【００６２】
対応情報生成工程Ｓ２２０において、対応情報生成部１００は、対応情報を生成する。本実施形態の場合、電力供給工程Ｓ２０４と電線測定工程Ｓ２０６と測定完了判断工程Ｓ２０８とが繰り返される間に、一方側入力回路７４と他端側入力回路８０とは、次に述べられる情報の出力を繰り返す。その情報は、ワイヤハーネス２００の各電線２２０における電圧が「Ｈｉｇｈ状態」か「Ｌｏｗ状態」かを示す情報である。対応情報生成部１００は、出力されたその情報を一端コネクタ７０が有する端子の識別情報または他端コネクタ７６が有する端子の識別情報に対応付けて記憶している。電力供給工程Ｓ２０４と電線測定工程Ｓ２０６と測定完了判断工程Ｓ２０８との繰り返しが完了すると、対応情報生成部１００は、ワイヤハーネス２００の各電線２２０における電圧が「Ｈｉｇｈ状態」か「Ｌｏｗ状態」かを示すそれらの情報を一体化する。これが本実施形態における対応情報である。
【００６３】
異常判断工程Ｓ２２２において、異常判断部１０４は、異常の有無を判断する。この異常の有無は、対応情報により特定される電線２２０と電線２２０への電力の供給に応じて電圧の変動が生じるべき電線２２０との相違の有無に応じて判断される。
【００６４】
本実施形態の場合、異常判断工程Ｓ２２２は、一致判断工程Ｓ２４０と、無異常情報生成工程Ｓ２４２と、異常種類情報生成工程Ｓ２４４とを有している。
【００６５】
一致判断工程Ｓ２４０において、一致判断部１２０は、ワイヤハーネス２００の複数の電線２２０それぞれについて、次に述べられる２種類の電線２２０が一致するか否かを判断する。それら２種類の電線２２０は、対応情報により特定される電線２２０、および、予定情報により特定される電線２２０である。対応情報により特定される電線２２０と予定情報により特定される電線２２０とが一致すると判断された場合（Ｓ２４０にてＹＥＳ）、処理はＳ２４２へと移される。もしそうでない場合（Ｓ２４０にてＮＯ）、処理はＳ２４４へと移される。
【００６６】
無異常情報生成工程Ｓ２４２において、無異常情報生成部１２２は、異常がないことを示す異常有無情報を生成する。
【００６７】
異常種類情報生成工程Ｓ２４４において、異常種類情報生成部１２４は、異常の種類を示す異常有無情報を生成する。
【００６８】
図６は、本実施形態にかかる異常種類情報生成工程Ｓ２４４の制御の手順を示すフローチャートである。図６に基づいて、本実施形態にかかる異常種類情報生成工程Ｓ２４４の制御の手順が説明される。本実施形態の場合、異常種類情報生成工程Ｓ２４４は、短絡可能性判断工程Ｓ２６０と、誤接続判断工程Ｓ２６２と、誤接続情報生成工程Ｓ２６４と、誤接続電線情報生成工程Ｓ２６６と、短絡情報生成工程Ｓ２６８と、短絡電線情報生成工程Ｓ２７０と、断線判断工程Ｓ２７２と、断線情報生成工程Ｓ２７４と、断線電線情報生成工程Ｓ２７６と、不明情報生成工程Ｓ２７８とを有している。
【００６９】
短絡可能性判断工程Ｓ２６０において、一致判断部１２０は、対応情報により特定された電線２２０の中に予定情報により特定されるものではない電線２２０が存在するか否かを判断する。対応情報により特定された電線２２０の中に予定情報により特定されるものではない電線２２０が存在すると判断された場合（Ｓ２６０にてＹＥＳ）、処理はＳ２６２へと移される。もしそうでない場合（Ｓ２６０にてＮＯ）、処理はＳ２７２へと移される。
【００７０】
誤接続判断工程Ｓ２６２において、一致判断部１２０は、予定情報により特定される電線２２０の中に対応情報により特定されたものではない電線２２０が存在するか否かを判断する。予定情報により特定される電線２２０の中に対応情報により特定されたものではない電線２２０が存在すると判断された場合（Ｓ２６２にてＹＥＳ）、処理はＳ２６４へと移される。もしそうでない場合（Ｓ２６２にてＮＯ）、処理はＳ２６８へと移される。
【００７１】
誤接続情報生成工程Ｓ２６４において、誤接続情報生成部１４８は、誤接続が生じていることを示す異常有無情報を生成する。
【００７２】
誤接続電線情報生成工程Ｓ２６６において、誤接続電線情報生成部１５０は、誤接続電線情報を生成する。
【００７３】
短絡情報生成工程Ｓ２６８において、短絡情報生成部１４０は、短絡が生じていることを示す異常有無情報を生成する。
【００７４】
短絡電線情報生成工程Ｓ２７０において、短絡電線情報生成部１４２は、短絡電線情報を生成する。
【００７５】
断線判断工程Ｓ２７２において、一致判断部１２０は、予定情報により特定される電線２２０の中に対応情報により特定されたものではない電線２２０が存在するか否かを判断する。予定情報により特定される電線２２０の中に対応情報により特定されたものではない電線２２０が存在すると判断された場合（Ｓ２７２にてＹＥＳ）、処理はＳ２７４へと移される。もしそうでない場合（Ｓ２７２にてＮＯ）、処理はＳ２７８へと移される。
【００７６】
断線情報生成工程Ｓ２７４において、断線情報生成部１４４は、断線が生じていることを示す異常有無情報を生成する。
【００７７】
断線電線情報生成工程Ｓ２７６において、断線電線情報生成部１４６は、断線電線情報を生成する。
【００７８】
不明情報生成工程Ｓ２７８において、断線情報生成部１４４は、原因不明の異常が生じていることを示す異常有無情報を生成する。
【００７９】
［動作の説明］
（ワイヤハーネスに異常がない場合）
本実施形態にかかる電線検査装置２０は、起動すると自らの一方側電線接続部４２および他方側電線接続部４４の断線の有無を検査する（Ｓ２００）。
【００８０】
断線の有無が検査されると、検査者は、ワイヤハーネス２００の各電線２２０を一方側電線接続部４２と他方側電線接続部４４とに接続する。ワイヤハーネス２００の各電線２２０が一方側電線接続部４２と他方側電線接続部４４とに接続されると、対応情報生成部１００は、検査者からの検査開始の指示を待つ。検査者が検査開始の指示を検査結果出力部３６に入力すると、電線検査装置２０の対応情報生成部１００は、カウンタの値を「０」に設定する（Ｓ２０２）。
【００８１】
図７は、本実施形態にかかる正しく接続されたワイヤハーネス２００を示す概念図である。この場合、そのワイヤハーネス２００の各電線２２０が一方側電線接続部４２と他方側電線接続部４４とに接続されることとする。本実施形態にかかるワイヤハーネス２００は、複数（具体的には６４本）の電線２２０と、一方コネクタ２２２と、他方コネクタ２２４とを有する。複数の電線２２０はいずれも一方コネクタ２２２と他方コネクタ２２４とに接続される。複数の電線２２０はいずれも一方コネクタ２２２と他方コネクタ２２４とを介して一方側電線接続部４２および他方側電線接続部４４に接続される。一方コネクタ２２２と他方コネクタ２２４とはそれぞれ複数の電線２２０の本数に等しい個数の端子を有している。それらの端子には識別情報が数値で付されている。これにより、それらの端子は一意に特定され得る。このワイヤハーネス２００において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０が接続されている。一方コネクタ２２２の「２」という識別情報が付された端子に接続されている電線２２０は、一方コネクタ２２２の「３」という識別情報が付された端子にも接続されている。一方コネクタ２２２の「４」という識別情報が付された端子に接続されている電線２２０は、他方コネクタ２２４の「６８」という識別情報が付された端子に接続されている。この電線２２０には、「６７」という識別情報が付された端子に接続されている別の電線２２０が接続されている。一方コネクタ２２２の「５」という識別情報が付された端子に接続されている電線２２０は、他方コネクタ２２４の「６９」という識別情報が付された端子にも接続されている。一方コネクタ２２２の「６」という識別情報が付された端子に接続されている電線２２０は、他方コネクタ２２４の「７０」という識別情報が付された端子にも接続されている。以下同様である。その結果、一方コネクタ２２２の「６４」という識別情報が付された端子に接続されている電線２２０は、他方コネクタ２２４の「１２８」という識別情報が付された端子にも接続されている。
【００８２】
カウンタの値が「０」に設定されると、対応情報生成部１００は、カウンタの値を「１」増加させる。次に、電源部４０は、ワイヤハーネス２００の電線２２０への電力供給を開始する。電源部４０による電力供給開始と同時に、一方側電線接続部４２と他方側電線接続部４４とのうち一方は、次に述べられる電力の電圧の大きさを制御する。その電力は、ワイヤハーネス２００の複数の電線２２０のうち次に述べられているものに供給される電力である。その電線２２０は、次に述べられている端子に接続されているものである。その端子は、一方コネクタ２２２が有する端子と他方コネクタ２２４が有する端子とのうち、これに付されている識別情報がカウンタの値に一致するものである（Ｓ２０４）。例えばカウンタの値が「１」の場合、電圧の大きさが制御されるのは、一方コネクタ２２２が有する端子のうち「１」という識別情報が付されたものに接続されている電線２２０である。電圧の大きさが制御された電線２２０にかかる電圧は「Ｈｉｇｈ状態」となる。
【００８３】
電圧の大きさが制御されると、一方側入力回路７４と他端側入力回路８０とは、ワイヤハーネス２００の各電線２２０における電圧を測定する。一方側入力回路７４と他端側入力回路８０とは、自らが測定した電圧に基づいて、ワイヤハーネス２００の各電線２２０における電圧が「Ｈｉｇｈ状態」か「Ｌｏｗ状態」かを示す情報を対応情報生成部１００に出力する。対応情報生成部１００は、ワイヤハーネス２００の電線２２０への電力供給の際のワイヤハーネス２００の各電線２２０の電圧の状態を示す情報とカウンタの値とを対応付けて記憶する。これにより、対応情報生成部１００は、次に述べられる２種類の情報を対応付けて記憶することとなる（Ｓ２０６）。それらの情報は、ワイヤハーネス２００の電線２２０への電力供給の際のワイヤハーネス２００の各電線２２０の電圧の状態を示す情報と電圧の大きさが制御された電線２２０が接続されている端子の識別情報とである。
【００８４】
本実施形態においては、一方側出力回路７２の端子の個数は６４個である。一方側入力回路７４の端子の個数も同様である。他端側出力回路７８の端子の個数および他端側入力回路８０の端子の個数も同様である。仮に、一方側出力回路７２の端子のうち隣り合う４個の端子を１組と見なすとする。一方側出力回路７２の端子に接続されている電線２２０の電圧が「Ｈｉｇｈ状態」であることを「１」に対応付けるとする。端子に接続されている電線２２０の電圧が「Ｌｏｗ状態」であることを「０」に対応付けるとする。一方側出力回路７２の各端子の識別情報を数値の桁に対応付けるとする。この場合、一方側出力回路７２の４個の端子に接続されている電線２２０の状態は４桁の２進数によって表現できる。例えば下から４番目の桁と下から２番目の桁とに対応付けられる端子に接続されている電線２２０の状態が「Ｈｉｇｈ状態」で下から３番目の桁と下から１番目の桁とに対応付けられる端子に接続されている電線２２０の状態が「Ｌｏｗ状態」であるとする。この場合、それら４本の電線２２０の状態は「１０１０」という２進数によって表現できる。「１０１０」という２進数が１６進数に変換されると、その値は「Ａ」である。同様に、一方側出力回路７２の６４個の端子に接続されている電線２２０の状態は１６桁の１６進数により表現できることとなる。図７に示されたワイヤハーネス２００の一方コネクタ２２２が一方側電線接続部４２の一端コネクタ７０に接続されるとする。そのワイヤハーネス２００の他方コネクタ２２４が他方側電線接続部４４の他端コネクタ７６に接続されるとする。カウンタの値が「１」であるとする。この場合、一方コネクタ２２２のうち「１」という識別情報が付された端子に接続されている電線２２０の電圧の大きさが制御されると、一方コネクタ２２２の各端子に接続されている電線２２０の状態は、次に述べられる１６進数で示し得る。その１６進数は「００００  ００００  ００００  ０００１」という１６桁の１６進数である。上述した通り、ワイヤハーネス２００において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０が接続されている。その結果、一方コネクタ２２２の「１」という識別情報が付された端子に接続されている電線２２０の電圧の大きさが制御されると、次に述べられる電線２２０の状態が「Ｈｉｇｈ状態」となる。その電線２２０は、「６５」という識別情報が付された端子に接続された電線２２０、および、「６６」という識別情報が付された端子に接続されている電線２２０である。他の電線２２０の状態は「Ｌｏｗ状態」のままである。この状態のとき、「６８」「６７」「６６」「６５」という識別情報が付された端子に接続されている電線２２０の状態は、「００１１」という２進数で示し得る。この２進数が１６進数に変換されると、その状態は「３」という１６進数で示し得る。その結果、この場合の他方コネクタ２２４の各端子に接続されている電線２２０の状態は「００００  ００００  ００００  ０００３」という１６桁の１６進数で示し得る。
【００８５】
その後、対応情報生成部１００は、ワイヤハーネス２００のすべての電線２２０につきこれに供給される電圧の制御が行われたか否かを判断する（Ｓ２０８）。ワイヤハーネス２００のすべての電線２２０につきこれに供給される電圧の制御が行われるまでは（Ｓ２０８にてＮＯ）、Ｓ２０４乃至Ｓ２０８の処理が繰り返される。
【００８６】
その後、ワイヤハーネス２００のすべての電線２２０につきこれに供給される電圧の制御が行われると（Ｓ２０８にてＹＥＳ）、対応情報生成部１００は、対応情報を生成する（Ｓ２２０）。
【００８７】
図８は、対応情報生成部１００が生成した対応情報の構造を示す概念図である。本実施形態の場合、対応情報は電線測定工程Ｓ２０６において記憶された情報の集合体である。上述の通り、一方コネクタ２２２の「１」という識別情報が付された端子に接続されている電線２２０の電圧の大きさが制御されると、一方コネクタ２２２の各端子に接続されている電線２２０の状態は次に述べられる１６進数で示し得る。その１６進数は「００００  ００００  ００００  ０００１」という１６桁の１６進数である。その結果、「電圧制御された電線にかかる識別情報」に対応付けられる「一方コネクタの制御情報」欄のうち「６４〜４９」欄には「００００」という１６進数が示される。「４８〜３３」欄にも「００００」という１６進数が示される。「３２〜１７」欄にも「００００」という１６進数が示される。「１６〜１」欄には「０００１」という１６進数が示される。なお、「電圧制御された電線にかかる識別情報」は電圧の大きさが制御された電線２２０が接続された一方コネクタ２２２の端子の識別情報を意味する。上述の通り、一方コネクタ２２２の「１」という識別情報が付された端子に接続されている電線２２０の電圧の大きさが制御されると、他方コネクタ２２４の各端子に接続されている電線２２０の状態は次に述べられる１６進数で示し得る。その１６進数は「００００  ００００  ００００  ０００３」という１６桁の１６進数である。その結果、「電圧制御された電線にかかる識別情報」に対応付けられる「他方コネクタの制御情報」欄のうち「１２８〜１１３」欄には「００００」という１６進数が示される。「１１２〜９７」欄にも「００００」という１６進数が示される。「９６〜８１」欄にも「００００」という１６進数が示される。「８０〜６５」欄には「０００３」という１６進数が示される。本実施形態の場合、対応情報は、電圧の大きさが制御された電線２２０が接続された一方コネクタ２２２の端子の識別情報に対応付けられた１６桁の１６進数の対の集合体である。
【００８８】
対応情報が生成されると、一致判断部１２０は、ワイヤハーネス２００の複数の電線２２０それぞれについて、次に述べられる２種類の電線２２０が一致するか否かを判断する。それら２種類の電線２２０は、対応情報により特定される電線２２０、および、予定情報により特定される電線２２０である（Ｓ２４０）。
【００８９】
本実施形態の場合、予定情報の構造は対応情報と同一である。予定情報に含まれる数値は、ワイヤハーネス２００の電線２２０が正しく配線されている場合における対応情報と一致する。上述の説明から明らかな通り、対応情報は、同一の識別情報に対応付けられた１６桁の１６進数の対の集合体である。これにより、電圧が制御されたすべての電線２２０について次に述べられる２種類の要件が満たされるか否かに基づき、対応情報により特定される電線２２０、および、予定情報により特定される電線２２０が一致するか否かを判断できる。その１種類目の要件は、同一の識別情報に対応付けられ一方コネクタ２２２の各端子に接続されている電線２２０の状態を示す１６桁の１６進数の差が「０」であるという要件である。２種類目の要件は、同一の識別情報に対応付けられ他方コネクタ２２４の各端子に接続されている電線２２０の状態を示す１６桁の１６進数の差が「０」であるという要件である。
【００９０】
この場合、対応情報により特定される電線２２０、および、予定情報により特定される電線２２０が一致するので（Ｓ２４０にてＹＥＳ）、無異常情報生成部１２２は、異常がないことを示す異常有無情報を生成する（Ｓ２４２）。異常がないことを示す異常有無情報が生成されると、異常有無情報出力部１０６は、その異常有無情報を出力する（Ｓ２１２）。
【００９１】
（ワイヤハーネスの電線に誤接続がある場合）
図９は、本実施形態にかかる誤接続があるワイヤハーネス２０２を示す概念図である。このワイヤハーネス２０２において、一方コネクタ２２２の「１」という識別情報が付された端子に接続されている電線２２０は、他方コネクタ２２４の「６５」という識別情報が付された端子にも接続されている。この電線２２０には、本来「６６」という識別情報が付された端子に接続されている別の電線２２０に接続されるべきところ、「６７」という識別情報が付された端子に接続されている別の電線２２０が接続されている。一方コネクタ２２２の「４」という識別情報が付された端子に接続されている電線２２０は、他方コネクタ２２４の「６８」という識別情報が付された端子に接続されている。この電線２２０には、本来「６７」という識別情報が付された端子に接続されている別の電線２２０に接続されるべきところ、「６６」という識別情報が付された端子に接続されている別の電線２２０に接続されている。他の点については、このワイヤハーネス２０２は、図７に示されたワイヤハーネス２００と同一である。
【００９２】
上述の場合と同様に、Ｓ２００乃至Ｓ２０８の処理を経て、対応情報生成部１００は、対応情報を生成する（Ｓ２２０）。
【００９３】
図１０は、このワイヤハーネス２０２について生成された対応情報の構造を示す概念図である。この対応情報においては、「１」という「電圧制御された電線にかかる識別情報」に対応付けられる「他方コネクタの制御情報」欄のうち「８０〜６５」欄には「０００５」という１６進数が示される。上述の説明から明らかな通り、予定情報に含まれる数値は、ワイヤハーネス２００の電線２２０が正しく配線されている場合における対応情報と一致する。したがって、予定情報に含まれる数値は、図８に示された対応情報と同一である。その結果、予定情報において「１」という「電圧制御された電線にかかる識別情報」に対応付けられる「他方コネクタの制御情報」欄のうち「８０〜６５」欄の値は「０００３」である。「４」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００Ｃ」である。「６５」という「電圧制御された電線にかかる識別情報」に対応付けられる「他方コネクタの制御情報」欄のうち「８０〜６５」欄には「０００５」という１６進数が示される。上述の説明から明らかな通り、予定情報においてこれに対応する欄の値は「０００３」である。「６６」という「電圧制御された電線にかかる識別情報」に対応付けられる「一方コネクタの制御情報」欄のうち「１６〜１」欄には「０００８」という１６進数が示される。上述の説明から明らかな通り、予定情報においてこれに対応する欄の値は「０００１」である。「６６」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００３」である。「６７」という「電圧制御された電線にかかる識別情報」に対応付けられる「一方コネクタの制御情報」欄のうち「１６〜１」欄には「０００１」という１６進数が示される。上述の説明から明らかな通り、予定情報においてこれに対応する欄の値は「０００８」である。「６７」という「電圧制御された電線にかかる識別情報」に対応付けられる「他方コネクタの制御情報」欄のうち「８０〜６５」欄には「０００５」という１６進数が示される。上述の説明から明らかな通り、予定情報においてこれに対応する欄の値は「０００Ｃ」である。「６８」という「電圧制御された電線にかかる識別情報」に対応付けられる「他方コネクタの制御情報」欄のうち「８０〜６５」欄には「０００Ａ」という１６進数が示される。上述の説明から明らかな通り、予定情報においてこれに対応する欄の値は「０００Ｃ」である。
【００９４】
対応情報が生成されると、一致判断部１２０は、ワイヤハーネス２０２の複数の電線２２０それぞれについて、次に述べられる２種類の電線２２０が一致するか否かを判断する。それら２種類の電線２２０は、対応情報により特定される電線２２０、および、予定情報により特定される電線２２０である（Ｓ２４０）。この場合、対応情報の内容と予定情報の内容との間には上述された相違点が存在する。その結果、それらの電線２２０が一致しないので（Ｓ２４０にてＮＯ）、一致判断部１２０は、対応情報により特定された電線２２０の中に予定情報により特定されるものではない電線２２０が存在するか否かを判断する（Ｓ２６０）。
【００９５】
この場合、一致判断部１２０は、対応情報と予定情報とのうちそれらの間において相違点が存在する部分の値を２進数に変換する。その２進数は、一方コネクタ２２２の端子または他方コネクタ２２４の端子の識別情報に対応する。これにより、その識別情報が付された端子に接続される電線２２０を特定できる。そのようにして特定された電線２２０は、対応情報により特定される電線２２０または予定情報により特定される電線２２０である。その結果、一致判断部１２０は、ある電線２２０への電力供給に応じて電圧の変動が生じた電線２２０とその電力供給に応じて電圧の変動が生じるべき電線２２０とを特定できる。それらの電線２２０が特定された後、一致判断部１２０は、予定情報にない電線２２０が存在するか否かを判断する。
【００９６】
この場合、そのような電線２２０が存在すると判断されるので（Ｓ２６０にてＹＥＳ）、一致判断部１２０は、予定情報により特定される電線２２０の中に対応情報により特定されたものではない電線２２０が存在するか否かを判断する（Ｓ２６２）。ある電線２２０への電力供給に応じて電圧の変動が生じた電線２２０とその電力供給に応じて電圧の変動が生じるべき電線２２０とは既に特定されている。一致判断部１２０は、それら電線２２０に基づいて、予定情報により特定される電線２２０の中に対応情報により特定されたものではない電線２２０が存在するか否かを判断する。
【００９７】
その結果、対応情報により特定されたものではない電線２２０が存在すると判断されるので（Ｓ２６２にてＹＥＳ）、誤接続情報生成部１４８は、誤接続が生じていることを示す異常有無情報を生成する（Ｓ２６４）。続いて、誤接続電線情報生成部１５０は、一致判断部１２０が特定したある電線２２０への電力供給に応じて電圧の変動が生じた電線２２０とその電力供給に応じて電圧の変動が生じるべき電線２２０とに基づいて、誤接続電線情報を生成する（Ｓ２６６）。
【００９８】
誤接続電線情報が生成されると、異常有無情報出力部１０６は、誤接続が生じていることおよび誤接続電線情報を異常有無情報として出力する（Ｓ２１２）。本実施形態の場合、誤接続電線情報のうち予定情報により特定される電線２２０であって対応情報により特定される電線２２０に一致しない電線２２０を示す情報は、次に述べられる情報を含む。それらの情報は、その電線２２０が接続されている端子の識別情報、および、その端子に接続されるはずの電線２２０が存在しないことを示す情報である。誤接続電線情報のうち対応情報により特定される電線２２０であって予定情報により特定される電線２２０に一致しない電線２２０を示す情報は、次に述べられる情報を含む。それらの情報は、その電線２２０が接続されている端子の識別情報、および、その端子に接続される電線２２０が存在することを示す情報である。
【００９９】
（ワイヤハーネスの電線に短絡がある場合）
図１１は、本実施形態にかかる短絡があるワイヤハーネス２０４を示す概念図である。このワイヤハーネス２０４において、一方コネクタ２２２の「１」という識別情報が付された端子に接続されている電線２２０は、他方コネクタ２２４の「６５」という識別情報が付された端子にも接続されている。この電線２２０には、「６６」という識別情報が付された端子に接続されている別の電線２２０にも接続されている。この電線２２０には、一方コネクタ２２２の「２」という識別情報が付された端子に接続されている別の電線２２０という、本来接続されるべきでない電線２２０も接続されている。他の点については、このワイヤハーネス２０４は、図７に示されたワイヤハーネス２００と同一である。
【０１００】
上述の場合と同様に、Ｓ２００乃至Ｓ２０８の処理を経て、対応情報生成部１００は、対応情報を生成する（Ｓ２２０）。
【０１０１】
図１２は、このワイヤハーネス２０４について生成された対応情報の構造を示す概念図である。この対応情報においては、「１」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。「２」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００６」である。「２」という「電圧制御された電線にかかる識別情報」に対応付けられる「他方コネクタの制御情報」欄のうち「８０〜６５」欄には「０００３」という１６進数が示される。上述の説明から明らかな通り、予定情報においてこれに対応する欄の値は「００００」である。「３」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００６」である。「３」という「電圧制御された電線にかかる識別情報」に対応付けられる「他方コネクタの制御情報」欄のうち「８０〜６５」欄には「０００３」という１６進数が示される。上述の説明から明らかな通り、予定情報においてこれに対応する欄の値は「００００」である。「６５」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。「６６」という「電圧制御された電線にかかる識別情報」に対応付けられる「一方コネクタの制御情報」欄のうち「１６〜１」欄には「０００７」という１６進数が示される。上述の説明から明らかな通り、予定情報においてこれに対応する欄の値は「０００１」である。
【０１０２】
対応情報が生成されると、Ｓ２４０およびＳ２６０の処理を経て、一致判断部１２０は、予定情報により特定される電線２２０の中に対応情報により特定されたものではない電線２２０が存在するか否かを判断する（Ｓ２６２）。この場合、対応情報により特定されたものではない電線２２０が存在しないと判断されるので（Ｓ２６２にてＮＯ）、短絡情報生成部１４０は、短絡が生じていることを示す異常有無情報を生成する（Ｓ２６８）。続いて、短絡電線情報生成部１４２は、短絡電線情報を生成する（Ｓ２７０）。
【０１０３】
短絡電線情報が生成されると、異常有無情報出力部１０６は、短絡が生じていることおよび短絡電線情報を異常有無情報として出力する（Ｓ２１２）。本実施形態の場合、短絡電線情報は、対応情報により特定される電線２２０であって予定情報により特定される電線２２０に一致しない電線２２０が接続されている端子の識別情報、および、その端子に接続される電線２２０が存在することを示す情報を含む。
【０１０４】
（ワイヤハーネスの電線に断線がある場合）
図１３は、本実施形態にかかる断線があるワイヤハーネス２０６を示す概念図である。このワイヤハーネス２０６において、一方コネクタ２２２の「１」という識別情報が付された端子に接続されている電線２２０は、どの端子にも接続されていない。他方コネクタ２２４の「６５」という識別情報が付された端子に接続されている電線２２０は、「６６」という識別情報が付された端子に接続されている別の電線２２０に接続されている。他方コネクタ２２４の「６５」という識別情報が付された端子に接続されている電線２２０は、一方コネクタ２２２の「１」という識別情報が付された端子に接続されている電線２２０に接続されるべきところ、この電線２２０に接続されていない。他の点については、このワイヤハーネス２０６は、図７に示されたワイヤハーネス２００と同一である。
【０１０５】
上述の場合と同様に、Ｓ２００乃至Ｓ２０８の処理を経て、対応情報生成部１００は、対応情報を生成する（Ｓ２２０）。
【０１０６】
図１４は、このワイヤハーネス２０２について生成された対応情報の構造を示す概念図である。この対応情報においては、「１」という「電圧制御された電線にかかる識別情報」に対応付けられる「他方コネクタの制御情報」欄のうち「８０〜６５」欄には「００００」という１６進数が示される。上述の説明から明らかな通り、予定情報においてこれに対応する欄の値は「０００３」である。「６５」という「電圧制御された電線にかかる識別情報」に対応付けられる「一方コネクタの制御情報」欄のうち「１６〜１」欄には「００００」という１６進数が示される。上述の説明から明らかな通り、予定情報においてこれに対応する欄の値は「０００３」である。「６６」という「電圧制御された電線にかかる識別情報」に対応付けられる「一方コネクタの制御情報」欄のうち「１６〜１」欄には「００００」という１６進数が示される。上述の説明から明らかな通り、予定情報においてこれに対応する欄の値は「０００１」である。
【０１０７】
対応情報が生成されると、Ｓ２４０の処理を経て、一致判断部１２０は、予定情報により特定されるものではない電線２２０が存在するか否かを判断する（Ｓ２６０）。この場合、そのような電線２２０が存在しないと判断されるので（Ｓ２６０にてＮＯ）、一致判断部１２０は、予定情報により特定される電線２２０の中に対応情報により特定されたものではない電線２２０が存在するか否かを判断する（Ｓ２７２）。この場合、対応情報により特定されたものではない電線２２０が存在すると判断されるので（Ｓ２７２にてＹＥＳ）、断線情報生成部１４４は、断線が生じていることを示す異常有無情報を生成する（Ｓ２７４）。続いて、断線電線情報生成部１４６は、断線電線情報を生成する（Ｓ２７６）。
【０１０８】
断線電線情報が生成されると、異常有無情報出力部１０６は、断線が生じていることおよび断線電線情報を異常有無情報として出力する（Ｓ２１２）。本実施形態の場合、断線電線情報は、次に述べられる情報を含む。それらの情報は、予定情報により特定される電線２２０であって対応情報により特定される電線２２０に一致しない電線２２０が接続されている端子の識別情報、および、その端子に接続されるはずの電線２２０が存在しないことを示す情報である。
【０１０９】
［効果の説明］
本実施形態にかかる電線検査装置２０によれば、ワイヤハーネス２００においてある電線２２０が予め定められた通りに導通しているか否かを判断できる。
【０１１０】
また、本実施形態にかかる電線検査装置２０によれば、ワイヤハーネス２００の電線２２０における断線と短絡と誤接続とを検知できる。しかも、電線２２０のうち断線と短絡と誤接続とのうちいずれかが生じている電線２２０を検知できる。
【０１１１】
［変形例の説明］
今回開示された実施形態はすべての点で例示である。本発明の範囲は上述した実施形態に基づいて制限されるものではない。もちろん、本発明の趣旨を逸脱しない範囲で種々の設計変更をしてもよい。
【０１１２】
例えば、異常種類情報生成部１２４の構成は上述したものに限定されない。異常種類情報生成部１２４は、短絡電線情報生成部１４２と、断線電線情報生成部１４６と、誤接続電線情報生成部１５０とを有していなくてもよい。異常種類情報生成部１２４は、短絡情報生成部１４０と、断線情報生成部１４４と、誤接続情報生成部１４８とを有していなくてもよい。異常判断部１０４の構成も、上述したものに限定されない。
【０１１３】
また、本発明にかかる電線測定部は、複数の電線２２０のいずれかにおける電流の変化を測定するものであってもよい。
【符号の説明】
【０１１４】
２０…電線検査装置
３０…電線測定部
３６…検査結果出力部
４０…電源部
４２…一方側電線接続部
４４…他方側電線接続部
５０…制御部
５２…記憶部
５４…入力装置
５６…表示装置
５８…一方側Ｉ／Ｏ
６０…他方側Ｉ／Ｏ
６２…電源Ｉ／Ｏ
７０…一端コネクタ
７２…一方側出力回路
７４…一方側入力回路
７６…他端コネクタ
７８…他端側出力回路
８０…他端側入力回路
１００…対応情報生成部
１０２…予定情報記憶部
１０４…異常判断部
１０６…異常有無情報出力部
１２０…一致判断部
１２２…無異常情報生成部
１２４…異常種類情報生成部
１４０…短絡情報生成部
１４２…短絡電線情報生成部
１４４…断線情報生成部
１４６…断線電線情報生成部
１４８…誤接続情報生成部
１５０…誤接続電線情報生成部
２００，２０２，２０４，２０６…ワイヤハーネス
２２０…電線
２２２…一方コネクタ
２２４…他方コネクタ
【手続補正２】
【補正対象書類名】特許請求の範囲
【補正対象項目名】全文
【補正方法】変更
【補正の内容】
【特許請求の範囲】
【請求項１】
検査の対象である電線束の少なくとも一部を構成する複数の電線それぞれの一端と他端とに接続され、前記複数の電線のいずれかに電力を供給し、前記電力の供給の際の前記複数の電線のうち少なくとも２本における電圧および電流の少なくとも一方を測定する電線測定部と、
前記電線測定部が測定した前記電圧および前記電流の少なくとも一方に基づいて前記複数の電線それぞれにおける通電機能の検査結果を出力する検査結果出力部とを備える電線検査装置であって、
前記検査結果出力部が、
前記電線測定部が前記電力を供給した前記電線と前記電線への前記電力の供給に応じて前記電圧および前記電流の少なくとも一方の変動が生じた前記電線との対応関係を示す対応情報を生成する対応情報生成部と、
前記複数の電線それぞれについて前記電線への前記電力の供給に応じて前記電圧および前記電流の少なくとも一方の変動が生じるべき前記電線を示す予定情報を予め記憶する予定情報記憶部と、
前記対応情報により特定される前記電線と前記予定情報により特定される前記電線との相違の有無に応じて、異常の有無を判断する異常判断部と、
前記異常の有無を示す異常有無情報を出力する異常有無情報出力部とを有しており、
前記異常判断部が、
前記複数の電線それぞれについて、前記対応情報により特定される前記電線と前記予定情報により特定される前記電線とが一致するか否かを判断する一致判断部と、
前記電線測定部が前記電力を供給した前記電線のすべてについて前記対応情報により特定される前記電線と前記予定情報により特定される前記電線とが一致する場合、前記異常がないことを示す前記異常有無情報を生成する無異常情報生成部と、
前記電線測定部が前記電力を供給した前記電線のいずれかについて前記対応情報により特定される前記電線と前記予定情報により特定される前記電線とが相違する場合、前記対応情報により特定される前記電線と前記予定情報により特定される前記電線との相違内容に応じて前記異常の種類を示す前記異常有無情報を生成する異常種類情報生成部とを有しており、
前記異常有無情報出力部が、前記異常判断部が生成した前記異常有無情報を出力し、
前記異常種類情報生成部が、
前記電線測定部が前記電力を供給した前記電線のうち前記電線測定部に加え別の前記電線にも接続されるもののいずれかについて前記対応情報により特定される前記電線のうち前記予定情報により特定される前記電線に一致しない前記電線が存在し前記予定情報により特定される前記電線のうち前記対応情報により特定される前記電線に一致しない前記電線が存在しないと、前記対応情報により特定される前記電線のうち前記予定情報により特定される前記電線に一致しない前記電線を示す短絡電線情報を生成する短絡電線情報生成部と、
前記電線測定部が前記電力を供給した前記電線のいずれかについて前記予定情報により特定される前記電線のうち前記対応情報により特定される前記電線に一致しない前記電線が存在し前記対応情報により特定される前記電線のうち前記予定情報により特定される前記電線に一致しない前記電線が存在しないと、前記予定情報により特定される前記電線のうち前記対応情報により特定される前記電線に一致しない前記電線を示す断線電線情報を生成する断線電線情報生成部と、
前記電線測定部が前記電力を供給した前記電線のうち前記電線測定部に加え別の前記電線にも接続されるもののいずれかについて前記対応情報により特定される前記電線のうち前記予定情報により特定される前記電線に一致しない前記電線および前記予定情報により特定される前記電線のうち前記対応情報により特定される前記電線に一致しない前記電線が共に存在すると、前記予定情報により特定される前記電線のうち前記対応情報により特定される前記電線に一致しない前記電線と前記対応情報により特定される前記電線のうち前記予定情報により特定される前記電線に一致しない前記電線とを示す誤接続電線情報を生成する誤接続電線情報生成部とを有していることを特徴とする電線検査装置。